(57)【要約】【課題】  簡易な構造で、かつ、透過物品と反射物品の両方を立体視できるビュアーを提示することを課題とする。【解決手段】  レンズ基板と、画像掲示基板と、画像固定部と、表下支持基板と、裏下支持基板と、表上支持基板と、裏上支持基板と、表右支持基板と、裏右支持基板と、表左支持基板と、裏左支持基板によって構成され、表右支持基板と裏右支持基板を連接する右折曲線部と、表左支持基板と裏左支持基板を連接する左折曲線部を谷折、若しくは、山折に折曲可能とし、裏上支持基板に採光窓部を設け、表右支持基板と右折曲線部と裏右支持基板に渡って右窓部を設け、表左支持基板と左折曲線部と裏左支持基板に渡って左窓部を設けたことを特徴とするビュアーである。【選択図】  図１
2005049787.tif 000002
【特許請求の範囲】
【請求項１】
少なくとも２つのレンズが設けられたレンズ基板と、
前記レンズ基板と対向し、同一被写体を異なる視点で表した少なくとも2つの画像を掲示する、少なくとも１つの画像掲示部を有する画像掲示基板と、
前記画像掲示部に画像を掲示させるため、画像を固定する画像固定部と、
前記レンズ基板の下辺と、レンズ基板下山折線部を介して連接する表下支持基板と、
前記表下支持基板の、レンズ基板下山折線部と対向する辺と、下方向に突出する下突出山折線部を介して連接し、かつ、前記画像掲示基板の下辺と、画像掲示基板下山折線部を介して連接する裏下支持基板と、
前記レンズ基板の上辺と、レンズ基板上山折線部を介して連接する表上支持基板と、
前記表上支持基板の、レンズ基板上山折線部と対向する辺と、上方向に突出する上突出山折線部を介して連接し、かつ、前記画像掲示基板の上辺と、画像掲示基板上山折線部を介して連接する裏上支持基板と、
を有するビュアーにおいて、
前記レンズ基板の右辺と、レンズ基板右山折線部を介して連接する表右支持基板と、
前記表右支持基板の、レンズ基板右山折線部と対向する辺と、山折、及び、谷折に折曲自在な右折曲線部を介し、かつ、前記画像掲示基板の右辺と、画像掲示基板右山折線部を介して連接する裏右支持基板と、
前記表右支持基板、右折曲線部、及び、裏右支持基板に渡って設けられ、その縦方向の長さの最大がレンズの直径以上、その横方向の長さの最大がレンズの直径以上である右窓部と、
前記レンズ基板の左辺と、レンズ基板左山折線部を介して連接する表左支持基板と、
前記表左支持基板の、レンズ基板左山折線部と対向する辺と、山折、及び、谷折に折曲自在な左折曲線部を介して連接する裏左支持基板と、
前記表左支持基板、左折曲線部、及び、裏左支持基板に渡って設けられ、その縦方向の長さの最大がレンズの直径以上、その横方向の長さの最大がレンズの直径以上である左窓部と、
前記裏上支持基板に設けられ、開閉自在な採光窓部と、
前記画像掲示基板、表下支持基板、裏下支持基板、表上支持基板、裏上支持基板、表右支持基板、裏右支持基板、表左支持基板、及び、裏左支持基板の各基板の内側に設けられ、光を吸収する吸収層と、
を有することを特徴とするビュアー。
【請求項２】
前記レンズ基板は、
少なくとも２つのレンズが設けられたレンズ支持基板と、
前記レンズ支持基板と貼着し、少なくとも１つのレンズ穴が設けられたレンズ形成基板を有することを特徴とする請求項１記載のビュアー。
【請求項３】
前記右窓部と左窓部は、それぞれ２つの台形を下底で合わせた6角形であり、前記下底が右折曲線部と左折曲線部にそれぞれ位置することを特徴とする請求項１乃至請求項２いずれか一つに記載のビュアー。
【請求項４】
前記レンズ基板下山折線部の略中心に、レンズ基板と、表下支持基板に渡って設けられ、鼻を挿入することが可能な大きさの鼻窓を有することを特徴とする請求項１乃至請求項３いずれか一つに記載のビュアー。
【請求項５】
前記請求項１乃至請求項５記載いずれか一つに記載のビュアーを添付した冊子体。
【発明の詳細な説明】
【技術分野】
【０００１】
本発明は、同一被写体を、角度を変えて表した少なくとも２つの画像を用いて立体視を行うためのビュアーに関する。
【背景技術】
【０００２】
従来より、同一被写体を、角度を変えて表した画像を、立体視するためのビュアーが提案されている。すなわち、人間が物を立体として認識するのは、そのものを左右の目で、角度を変えて見ているからであり、このように、人間の両眼の視差と同じ角度になるように、同一被写体の角度を変えて表した少なくとも２つの画像を、左右の目にそれぞれ振り分けて提示すれば、両眼の画像が脳内で同時に知覚・合成されるため、立体的な感覚を得ることができるのである。
【０００３】
ここで、立体視するために使用される同一被写体を角度を変えて表した少なくとも２つの画像（以下、同一被写体を、角度を変えて表した少なくとも２つの画像と「画像」と称す。）は、透過物品と反射物品に大別される。透過物品として主なものは、フィルム、すなわち、写真画像をポジで現像したものがあり、反射物品として主なものは、写真をネガで現像したものや紙等に概念駆動型可視情報を印刷した印刷物等が挙げられる。また、画像が反射物品と透過物品とに分かれていることに伴い、ビュアーは、反射物品用と透過物品用に分かれていた。なぜなら、透過物品を立体視する際は、透過物品に、光を透過させなければ立体に見え難くなってしまうため、反射光が入らないように、画像を掲示する画像掲示部とレンズ以外からは光が入らないような構成にしなければならないが、反射物品を立体視する際は、反射光によって立体に見えるようにするため、反射光が入るように、画像掲示部とレンズ以外からも光が入るような構成にしなければならないからである。
しかし、これでは、反射物品と透過物品の両方を立体視したい場合に、それぞれのビュアーを使用しなければならないため、使い勝手が悪いという問題を有していた。
【０００４】
更に、透過物品を立体視する従来のビュアーは金属製やプラスチック製の箱状のものであるため、付録として冊子体（例えば本、書籍、雑誌、パンフレット、カタログ、小冊子などがあるが、これに限定しない。）に添付することが困難という問題を有していた。冊子体に添付するには、1枚のシート状に展開することが可能であり、用意に組み立てられるものでなければならない。また、金属製やプラスチック製であるため、製造コスト方が高くなってしまっていた。よって、安価で用意に組み立てが可能であり、更に、反射物品と透過物品の両方を立体視することが可能なステレオビュアーが求められていた。
【特許文献１】特願平７−２８１１２７号
【発明の開示】
【発明が解決しようとする課題】
【０００５】
本願発明は上記問題点を解決するためになされたものであり、その課題とするところは、簡易な構造で、かつ、透過物品と反射物品の両方を立体視できるビュアーを提示することを課題とする。
【課題を解決するための手段】
【０００６】
上記課題を解決するため本願発明の請求項１は、少なくとも２つのレンズが設けられたレンズ基板と、前記レンズ基板と対向し、同一被写体を異なる視点で表した少なくとも２つの画像を掲示する、少なくとも１つの画像掲示部を有する画像掲示基板と、前記画像掲示部に画像を掲示させるため、画像を固定する画像固定部と、前記レンズ基板の下辺と、レンズ基板下山折線部を介して連接する表下支持基板と、前記表下支持基板の、レンズ基板下山折線部と対向する辺と、下方向に突出する下突出山折線部を介して連接し、かつ、前記画像掲示基板の下辺と、画像掲示基板下山折線部を介して連接する裏下支持基板と、前記レンズ基板の上辺と、レンズ基板上山折線部を介して連接する表上支持基板と、前記表上支持基板の、レンズ基板上山折線部と対向する辺と、上方向に突出する上突出山折線部を介して連接し、かつ、前記画像掲示基板の上辺と、画像掲示基板上山折線部を介して連接する裏上支持基板と、を有するビュアーにおいて、前記レンズ基板の右辺と、レンズ基板右山折線部を介して連接する表右支持基板と、前記表右支持基板の、レンズ基板右山折線部と対向する辺と、山折、及び、谷折に折曲自在な右折曲線部を介し、かつ、前記画像掲示基板の右辺と、画像掲示基板右山折線部を介して連接する裏右支持基板と、前記表右支持基板、右折曲線部、及び、裏右支持基板に渡って設けられ、その縦方向の長さの最大がレンズの直径以上、その横方向の長さの最大がレンズの直径以上である右窓部と、前記レンズ基板の左辺と、レンズ基板左山折線部を介して連接する表左支持基板と、前記表左支持基板の、レンズ基板左山折線部と対向する辺と、山折、及び、谷折に折曲自在な左折曲線部を介して連接する裏左支持基板と、前記表左支持基板、左折曲線部、及び、裏左支持基板に渡って設けられ、その縦方向の長さの最大がレンズの直径以上、その横方向の長さの最大がレンズの直径以上である左窓部と、前記裏上支持基板に設けられ、開閉自在な採光窓部と、前記画像掲示基板、表下支持基板、裏下支持基板、表上支持基板、裏上支持基板、表右支持基板、裏右支持基板、表左支持基板、及び、裏左支持基板の各基板の内側に設けられ、光を吸収する吸収層と、を有することを特徴とするビュアーである。
【０００７】
本願請求項１記載の発明では、表右支持基板と、前記表右支持基板と折曲自在な右折曲線部を介して連接する裏右支持基板と、右窓部と、表左支持基板と、前記表左支持基板と折曲自在な左折曲線部を介して連接する裏左支持基板と、左窓部と、採光窓部と、吸収層と、を有しているため、反射物品を立体視する際は山折にし、透過物品を立体視する際は、谷折に折ることによって、透過物品と反射物品の、両方の物品を一つのビュアーで立体視することが可能になる。
【０００８】
すなわち、反射物品を立体視する際は、反射光を反射物品に当てなければならない。本願発明では、右折曲線部と左折曲線部とが山折に折ることが可能であるため反射物品を容易に立体視することが可能になる。つまり、右折曲線部と左折曲線部とを山折に折ることで、表下支持基板、裏下支持基板、表上支持基板、裏上支持基板、表右支持基板、裏右支持基板、表左支持基板、及び、裏左支持基板の各基板が外側に突出するようになり、その結果、表右支持基板の上辺と表上支持基板の右辺との間、裏右支持基板の上辺と裏上支持基板の右辺との間、表右支持基板の下辺と表下支持基板の右辺との間、裏右支持基板の下辺と裏下支持基板の右辺との間、表左支持基板の上辺と表上支持基板の左辺との間、裏左支持基板の上辺と裏上支持基板の左辺との間、表左支持基板の下辺と表下支持基板の左辺との間、及び、表左支持基板の下辺と裏下支持基板の左辺との間（以下、表右支持基板の上辺と表上支持基板の右辺との間、裏右支持基板の上辺と裏上支持基板の右辺との間、表右支持基板の下辺と表下支持基板の右辺との間、裏右支持基板の下辺と裏下支持基板の右辺との間、表左支持基板の上辺と表上支持基板の左辺との間、裏左支持基板の上辺と裏上支持基板の左辺との間、表左支持基板の下辺と表下支持基板の左辺との間、及び、表左支持基板の下辺と裏下支持基板の左辺との間を「支持基板間」と称す）に間隙を形成することが可能になり、ここから反射光を取り入れることが可能になるため、画像掲示部に掲示されている画像に反射光を当てる事が可能になり、反射物品を立体視することが可能になる。
【０００９】
また、本願発明のビュアーでは、右折曲線部と左折曲線部を山折に折るため、反射光をよりビュアー内部に取り入れることが可能になる。なお、右折曲線部と左折曲線部とを谷折にしても支持基板間に間隙が形成される。しかし、右折曲線部と左折曲線部とを谷折にした場合に形成される間隙の大きさは、右折曲線部と左折曲線部とを山折にした場合に形成される間隙の大きさよりも小さいため、反射光が入りにくくなってしまい、反射物品を立体視することが困難になってしまう。更に、右折曲線部と左折曲線部とを谷折にしてしまうと、表右支持基板、裏右支持基板、表左支持基板、及び、裏左支持基板によって、反射光が遮断されてしまうことも考えられる。また、一般的にビュアーを用いて立体視する際は、ビュアーの左右を持つ場合が多いため、右折曲線部と左折曲線部を谷折にしてしまうと、ビュアーを持つ手によって支持基板間にできる間隙が塞がれてしまい、反射光が遮断されてしまうことも考えられる。つまり、右折曲線部と左折曲線部を谷折にしてしまうと、表右支持基板、裏右支持基板、表左支持基板、及び、裏左支持基板がビュアーの内側に向けられるため、ビュアーを持つ際は、レンズ基板右山折線部のレンズ基板側の近傍と、レンズ基板左山折線部のレンズ基板側の近傍を、左右の手の親指でそれぞれ押さえ、画像掲示基板右山折線部の画像掲示基板側の近傍と、画像掲示基板左山折線部の画像掲示基板側の近傍を、左右の手の親指以外のいずれかの指でそれぞれ押さえてビュアーを持つようになるため、手のひら、若しくは、指で間隙をふさいでしまい、反射光がビュアー内部に入るのを遮ってしまうのである。結局、右折曲線部と左折曲線部を谷折に折ると、上述したような理由によって、反射光が十分に入らず、立体物品を立体視することが困難になってしまう。しかし、右折曲線部と左折曲線部とを山折にすれば、表右支持基板、裏右支持基板、表左支持基板、及び、裏左支持基板が外側に向くため、この外側に出た表右支持基板、裏右支持基板、表左支持基板、及び、裏左支持基板を持つことによって、支持基板間に形成される間隙を手のひらや指でふさぐことを防ぐことが可能になり、反射光を十分にビュアー内部に取り入れることが可能になる。すなわち、右折曲線部と左折曲線部を山折に折ることによって、表右支持基板、裏右支持基板、表左支持基板、及び、裏左支持基板がビュアーの外側に向くため、表右支持基板を右手の親指で押さえ、表左支持基板を左手の親指で押さえ、裏右支持基板を少なくとも表右支持基板を押さえる親指以外の指で押さえ、裏左支持基板を少なくとも表左支持基板を押さえる親指以外の指で押さえれば、間隙を指や手のひらでふさぐことなく、ビュアーを持つことが可能になるため、反射光をより取り入れることが可能になり、反射物品をより立体視することが可能になる。なお、本願発明のビュアーは、右折曲線部と左折曲線部を山折に折ることが可能であるため、レンズ基板と画像掲示基板とを近づけたり遠ざけたりすることが可能になり、容易に焦点を合わせることが可能になる。
【００１０】
なお、表上支持基板、裏上支持基板、表下支持基板、裏下支持基板、表右支持基板、裏右支持基板、表左支持基板、及び、裏左支持基板のそれぞれの大きさによって、支持基板間に形成される間隙は小さくなり、その結果、反射光を十分に取り入れることが困難になってしまう場合も考えられる。例えば、子供用のビュアーを提供しようとすると、子供の手で持つ事が可能で、更に、立体視が可能な大きさにする必要があるため、表右支持基板、裏右支持基板、表左支持基板、裏左支持基板、表上支持基板、裏上支持基板、表下支持基板、及び、裏下支持基板が小さくなることによって、支持基板間にできる間隙も小さくなってしまい、その結果、反射光を十分に取り入れることが困難になることが考えられる。しかし、本願発明では、裏上支持基板に開閉自在な採光窓部が設けられているため、支持基板間に形成される間隙だけでは反射光が十分ではない場合は、採光窓部を空けることにより、反射光を十分に取り入れることが可能になるため、反射物品を容易に立体視することが可能になる。
【００１１】
更に、本願発明のビュアーは、採光窓部を裏上支持基板に設けているため、反射光をよりビュアーの内部に取り込むことが可能になる。すなわち、採光窓部を表上支持基板に設けた場合は、採光窓部が開いた状態であっても、人間の額が採光窓部に当たるため、反射光が人間の頭部で遮られてしまうという場合も考えられる。しかし、本願発明請求項１記載のビュアーは、採光窓部を裏上支持基板に設けているため、人間の頭部によって反射光を遮ってしまうことを防ぐことが可能になり、より反射光をビュアーの内部に取り入れることが可能になる。
【００１２】
また、透過物品を立体視する際は、透過光を透過物品に当てなければならないため、反射光を遮る必要がある。本願発明のビュアーでは、右折曲線部と左折曲線部とを折曲させないように平坦にする、若しくは、右折曲線部と左折曲線部とを谷折に折ることが可能であるため、反射光を遮ることが可能になり、透過物品を立体視することが可能になる。
【００１３】
すなわち、透過物品を立体視する際は、右折曲線部と左折曲線部を折曲せずに、表下支持基板、裏下支持基板、表上支持基板、裏上支持基板、表右支持基板、裏右支持基板、表左支持基板、及び、裏左支持基板の各基板を平坦にすることで、ビュアーが略筒状となり、支持基板間に間隙が形成されることを防ぐことが可能になるため、反射光がビュアーの内部に入る事を遮断することが可能になり、透過物品を立体視することが可能になる。もちろん、支持基板間はつながっていないため、ビュアーの持ち方によっては、支持基板間に間隙が形成されて反射光が入ってしまうことも考えられる。よって、例えば、支持基板間に間隙が形成されないようにそれぞれの基板をテープ等で固定するようにしてもよいし、更には、表上支持基板、裏上支持基板、表下支持基板、及び、裏下支持基板のそれぞれの右辺近傍で表右支持基板と裏右支持基板を挟持し、かつ、表上支持基板、裏上支持基板、表下支持基板、及び、裏下支持基板のそれぞれの左辺近傍で表左支持基板と裏左支持基板を挟持するようにしてもよい。なお、挟持する際は、上突出山折線部、及び、下突出山折線部を固定するようにするとよい。
なお、右折曲線部と左折曲線部とを折曲させないように平坦にすると、焦点が合わず、立体視できない場合も考えられる。しかし、本願発明のビュアーは、右折曲線部と左折曲線部を谷折に折ることが可能であるため、右折曲線部と左折曲線部を谷折に折ることによって、上突出山折線部と下突出山折線部も山折されるようになるため、レンズ基板と画像掲示基板を近づけたり遠ざけたりすることが可能になり、容易に焦点を合わせることが可能になる。なお、右折曲線部と左折曲線部を谷折に折ると、支持基板間に間隙が形成されるため、反射光がビュアー内部に入ってしまう。しかし、本願発明では、前述したように、谷折に折ると、支持基板間に形成される間隙を小さく形成することが可能である上に、表右支持基板、裏右支持基板、表左支持基板、及び、裏左支持基板がビュアー内部に入り、反射光を遮断する役割を果たすため、透過物品を立体視することが困難になることはない。更に、一般的にビュアーを用いて立体視する際は、ビュアーの左右を持つ場合が多いため、右折曲線部と左折曲線部を谷折に折ると、レンズ基板内のレンズ基板右山折線部近傍を右手の親指で押さえ、レンズ基板内のレンズ基板左山折線部近傍を左手の親指で押さえ、画像掲示基板内の画像掲示基板右山折線部近傍を右手の親指以外のいずれかの指で押さえ、画像掲示基板内の画像掲示基板左山折線部近傍を左手の親指以外のいずれかの指で押さえてビュアーを持つようになるため、手のひら、若しくは、指で支持基板間に形成される間隙をふさぐことが可能になり、より反射光がビュアー内部に入ることを防ぐことが可能になる。なお、透過物品を立体視する際は、裏上基板に設けられた採光窓部は閉じておく必要がある。
【００１４】
なお、採光窓部の開閉の仕方は任意の方法を採用することが可能である。例えば、採光窓部を、裏上支持基板を任意の形状に打ち抜いた窓部と、前記窓部に蓋をする蓋部とで構成し、反射物品を立体視する場合は、蓋部を取り外すことで反射光がビュアー内部に入るようにし、透過物品を立体視する場合は、蓋部によって当該窓部に蓋をして反射光を遮るようにしてもよい。また例えば、採光窓部の任意の辺が、裏上支持基板と連接するように設けてもよい。裏支持基板と採光窓部とを連接させる場合は、採光窓部のうち裏支持基板と連接する部分である採光窓部折曲線部を山折にすることによって採光窓部を開くことが可能になり、前期採光窓部折曲線部を何も折らないようにすること、もしくは、谷折にすることによって採光窓部を閉じることが可能になる。なお、採光窓部の任意の辺が裏上支持基板と連接するように設ける場合において、どちらの方向に開閉可能とするかは任意の方向を選択することが可能である。例えば、右開きとしてもよいし、左開きとしてもよいが、本願発明では、透過物品を立体視する際は、採光窓部を閉じておく必要があるため、下向きに開くようにすれば、容易に閉じることが可能になるだけでなく、開き難くすることが可能になるため、好ましい。なお、採光窓部を開けた状態、及び、閉じた状態を保つことができるように、採光窓部、若しくは、裏上支持基板に、採光窓部を係止することが可能な係止手段を設けておくのが好ましいが、これに限定するわけではない。
【００１５】
更に、本願発明では、画像掲示基板、表下支持基板、裏下支持基板、表上支持基板、裏上支持基板、表右支持基板、裏右支持基板、表左支持基板、及び、裏左支持基板の各基板の内側に光を吸収する吸収層が設けられているため、谷折にして支持基板間に間隙が形成されることによって反射光がビュアー内部に入っても、光を吸収することが可能であり、透過物品を立体視することが可能になる。すなわち、右折曲線部と左折曲線部を谷折にして透過物品を立体視する際に、例えば、周囲の環境がとても明るい場合等は、強い反射光がビュアー内部に入ってしまい、その結果、透過物品の立体視が困難になってしまう場合が考えられる。しかし、本願発明のビュアーは、画像掲示基板、表下支持基板、裏下支持基板、表上支持基板、裏上支持基板、表右支持基板、裏右支持基板、表左支持基板、及び、裏左支持基板の各基板の内側に光を吸収する吸収層が設けられているため、右折曲線部と左折曲線部を谷折にしてもビュアー内部に反射光が入ってしまっても、吸収層によって反射光を吸収するため、透過物品を立体視することが可能である。なお、レンズ基板の内面にも吸収層を設けることが好ましいが、設けなくてもよい。
【００１６】
ここで、吸収層は、反射光を吸収することが可能であればいずれのものでもよい。一般的に色が濃い方が光を吸収しやすいため、紺、紫、または、こげ茶等の濃い色であることが好ましく、より好ましくは黒い色がよい。また、吸収層の設け方は、任意の方法を採用することが可能である。例えば、黒く塗った紙を貼り付けてもよいし、黒い塗料を印刷方式で設けることも可能である。印刷方式によって吸収層を設ける場合は、オフセット印刷、グラビア印刷、スクリーン印刷など、公知の印刷方法を採用することが可能であるが、一般的にグラビア印刷や水無オフセット印刷の方が、インキをより盛ることが可能であるため、より塗料をより濃く印刷すること可能になる。
【００１７】
なお、右折曲線部と左折曲線部を谷折にすると、表右支持基板、裏右支持基板、表左支持基板、及び、裏左支持基板がビュアーの内側に入るため、立体視する際に視界を遮り、立体視したい画像の少なくとも右側、又は、左側が、表右支持基板、裏右支持基板、表左支持基板、及び、裏左支持基板によって隠されてしまい、その結果、立体視する画像の大きさを制限する必要が生じることが考えられる。しかし、本願発明では、右窓部と左窓部とを有するため、表右支持基板、裏右支持基板、表左支持基板、及び、裏左支持基板が立体視する際の障害となることを防ぐことが可能になる。すなわち、本願発明のビュアーでは、右窓部と左窓部とを有するため、右折曲線部と左折曲線部を谷折にすることにより、表右支持基板、裏右支持基板、表左支持基板、及び、裏左支持基板がビュアー内側に入り視界を遮るようになっても、右窓部と左窓部から立体視したい画像の左右を見ることが可能なるため、表右支持基板、裏右支持基板、表左支持基板、及び、裏左支持基板が立体視する際の障害となることを防ぐことが可能になる。その結果、画像の大きさを制限する必要がなくなり、任意の形状の画像を立体視することが可能になるため、使用者にとってより面白みを与えることが可能なビュアーを提供することが可能になる。
【００１８】
また、右窓部と左窓部の大きさは、その縦方向の長さの最大がレンズの直径以上、その横方向の長さの最大がレンズの直径以上であるため、レンズから見える視界を、表右支持基板、裏右支持基板、表左支持基板、及び、裏左支持基板によって遮ってしまうことはない。なお、右窓部及び左窓部の縦方向の長さとは、表下支持基板と、裏下支持基板を下にして置いたときの高さ方向、すなわち、水平方向の長さであり、横方向の長さとは、表下支持基板と、裏下支持基板を下にして置いたときの水平方向の長さ、すなわち、縦方向の長さに垂直に交わる方向の長さである。なお、右折曲線部と左折曲線部を谷折にした際に、もっとも視界を遮りやすいのは、レンズに目を当てたとき、それぞれの瞳の略中央が位置する点から画像掲示基板に向かって引いた水平線が、右折曲線部、及び、左折曲線部に交わる点（以下、レンズ基板の中心から画像掲示基板に向かって引いた水平線が、右折曲線部と交わる点を「右側障害点」、及び、レンズ基板の中心から画像掲示基板に向かって引いた水平線が、左折曲線部と交わる点を「左側障害点」と称す）、及び、その近傍であるため、この右側障害点、左側障害点、及び、それぞれの近傍が、谷折にした際に障害にならないように右窓部と左窓部をそれぞれ設けるのが好ましく、具体的には、それぞれの窓部の、縦方向に最も長い部分と横方向に最も長い部分の交点が、右側障害点及び左側障害点近傍に位置し、かつ、縦方向に最も長い部分が、右折曲線部と左折曲線部にそれぞれ位置するように設けるのが好ましい。なお、これに限定するわけではない。
【００１９】
なお、右窓部と左窓部は、表右支持基板と右折曲線部と裏右支持基板に渡って、及び、表左支持基板と左折曲線部と裏左支持基板に渡って、それぞれ任意の形状で設けることが可能であるが、右窓部と左窓部の各辺が、右折曲線部と左折曲線部を谷折にしたときに略一致するように設けると、立体視する際の美観を向上することが可能になるので好ましい。つまり、表右表右支持基板に設けられる右窓部の一部と、裏右支持基板に設けられる右窓部の一部が、右折曲線部を谷折にした際に略一致するようにし、表左支持基板に設けられる左窓部の一部と、裏左支持基板に設けられる左窓部の一部が、左折曲線部を谷折にした際に略一致するようにすると、立体視する際の美観を向上することが可能である。例えば、表右支持基板、裏右支持基板、表左支持基板、及び、裏左支持基板の大きさが同一である場合は、右窓部は、右折曲線部をその中央として、左右対称になるように、表右支持基板と右折曲線部と裏右支持基板に渡って設けた方が、谷折にしたときに各辺が略一致するため立体視する際の美観を向上することが可能になる。左窓部も同様に、左折曲線部をその中央として、左右対称になるように、表左支持基板と左折曲線部と裏左支持基板に渡って設けた方が、谷折にしたときに各辺が略一致するため立体視する際の美観を向上することが可能になる。
【００２０】
また、本願発明のビュアーは、簡易な構造であるため、容易に組み立てることが可能であり、冊子体にも添付することが可能である。なお、表右支持基板、裏右支持基板、表左支持基板及び裏左支持基板は、谷折と山折をすることが可能であれば、任意の材料を採用することが可能であるが、紙で形成することが好ましい。更に、レンズ基板、画像掲示基板、画像固定部、表下支持基板、裏下支持基板、表上支持基板、及び、裏上支持基板も、任意の材料を採用することが可能であるが、紙で形成すれば、製造コストを下げることが可能になるため好ましい。すなわち、紙製のレンズ基板、紙製のレンズ基板、紙製の画像掲示基板、紙製の画像固定部、紙製の表下支持基板、紙製の裏下支持基板、紙製の表上支持基板、紙製の表下支持基板、紙製の表右支持基板、紙製の裏右支持基板、紙製の表左支持基板、及び、紙製の裏左支持基板にすることによって、容易に組み立てが可能で、製造コストを安くすることが可能なビュアーを提供することが可能になり、また、付録として冊子体に添付することが可能になる。また、表右支持基板、裏右支持基板、表左支持基板及び裏左支持基板を紙で形成すれば、紙の柔軟性によって、左折曲線部が磨耗して表左支持辺と裏左支持辺が分離してしまうこと、及び、右折曲線部が磨耗して表右支持辺と裏右支持辺が分離してしまうことを防ぐことが可能になる。すなわち、本願発明のビュアーは、反射物品を立体視する際は右折曲線部と左折曲線部を山折に折ることによって行い、透過物品を立体視する際には右折曲線部と左折曲線部を谷折に折ることによって行うため、右折曲線部と左折曲線部を山折から谷折に折り返す、若しくは、谷折から山折に折り返す動作が必要になるため、右折曲線部と左折曲線部は磨耗しやすい場所である。よって、折り返すことを何度も行った結果、左折曲線部が磨耗して表左支持辺と裏左支持辺が分離してしまうこと、及び、未義折曲線部が磨耗して表右支持辺と裏右支持辺が分離してしまうことが考えられる。しかし、表右支持基板、裏右支持基板、表左支持基板及び裏左支持基板を紙で形成すれば、紙の柔軟性によって、右折曲線部と左折曲線部が磨耗することを最小限に抑えることが可能になり、それぞれの支持辺が分離してしまうことを防ぐことが可能になる。結局、本願発明のビュアーを紙で形成すれば、冊子体に容易に添付することが可能で、更に、右折曲線部と左折曲線部の劣化を最小限に抑えることが可能なビュアーを提供することが可能になる。
なお、ビュアーを紙で形成する場合は、例えば、アート紙やコート紙等、任意の紙を採用することが可能であるが、弾力がある紙を採用した方が、ビュアーが固定されるため好ましい。例えば、アート紙であれば、その連量が１８０ｇ／ｍｍ以上であれば、弾力があるため好ましく、また、コート紙であれば、その連量が１８０ｇ／ｍｍ以上であれば、弾力があるため好ましい。なお、アート紙、コート紙に限定する必要はなく、任意の種類の紙を採用することが可能であり、その連量も任意の連量の紙を採用することが可能である。なお、本願発明のビュアーの展開したものを冊子体に添付する際は、その厚みが、３ｍｍ以下、更には、２ｍｍ以上３ｍｍ以下にすることによって綴じ方を問わず、いかなる冊子体にも添付することが可能になるため好ましい。
【００２１】
また、レンズ基板に設けるレンズは、少なくとも２つ必要である。これは、右目と左目による錯視を利用して立体視を行うためであり、右目用のレンズと左目用のレンズが必要になることに起因する。ここで、レンズ基板を形成する際に、少なくとも2枚のレンズを基板に直接設けるよりも、レンズの外周と貼着してレンズを固定するレンズ外側固定部にレンズを固定させ、レンズが固定された前記レンズ外側固定部を基板に設けるようにしてレンズ基板を形成したほうが、確実に立体視が可能なレンズ基板を、コストを抑えて形成することが可能になる。すなわち、立体視を実現するためには、右目が位置する右目用のレンズの中心と、左目が位置する左目用のレンズの中心が水平になるようにレンズ基板を形成しなければならない。しかし、右目用のレンズと左目用のレンズを直接基板に設ける場合では、それぞれのレンズの中心が水平になるようにレンズ基板を形成するのに高度な技術を必要とするため、製造効率が下がるだけでなく、製造コストを上げる要因になってしまうという問題を有している。この問題は、基板に紙を採用した場合に特に顕著に生じてしまう。すなわち、紙は歪みやすいため、右目用のレンズと左目用のレンズの中心が水平になるようにレンズ基板を形成することは、とても高度な技術を必要とするため製造効率が下がり、その結果、製造コストがあがってしまっていた。そこで、レンズの外周と貼着してレンズを固定するレンズ外側固定部にレンズを固定し、レンズが固定されたレンズ外側固定部を基板に設けるようにしてレンズ基板を整形すれば、レンズ外側固定部の材料費が必要になるが、レンズはレンズ外側固定部によって右目用レンズの中心と左目用レンズの中心が略水平になるよう固定されているため、高度な技術を必要とせずにレンズ基板を形成することが可能になり、製造効率を向上させることが可能になるため、結局、製造コストをかけずにレンズ基板を製造することが可能になる。なお、レンズ外側固定部は、レンズを形成する際に、一緒に形成することによって、右目用のレンズの中心と左目用のレンズの中心をより水平にすることが可能であるため好ましい。ここで、一緒に形成するとは、レンズとレンズ外側固定部を形成するそれぞれの金型を一体にし、一回の流し込みによってレンズ外側固定部にレンズが設けられている状態を形成するということである。このようにすることによって、右目用のレンズの中心と左目用のレンズの中心をより水平にすることが可能である。更に、レンズ外側固定部にレンズを固定するという工程を減らす事が可能になるため、レンズを触る回数を減らすことが可能になり、レンズに傷が付くことを防ぐことが可能になる。また、レンズ外側固定部にレンズを設ける工程を減らすことが可能になるため、製造コストを抑える事が可能になる。なお、レンズを形成する際は公知の材料を採用して形成することが可能である。また、レンズ外側固定部もレンズを固定することが可能であれば公知の材料を採用して形成することが可能である。
【００２２】
また、透過物品として主なものは、フィルム、すなわち、写真画像をポジで現像したものがあり、反射物品として主なものは、写真をネガで現像したものや紙等に概念駆動型情報を印刷した印刷物等がある。また、反射物品に印刷物を採用する場合は、レンズによって拡大された際に網点が見えないように、網点スクリーンの線数が、1インチ辺り５００本以上、更に好ましくは、７５０本以上の高密度のものを採用することが好ましいがこれに限定するわけではない。また、反射物品を印刷方式で形成する場合では、任意の印刷方式を採用することが可能であり、例えば、グラビア印刷、オフセット印刷等がある。なお、立体視する画像は、立体視が可能であれば、どのような形状でもよい。一般的に立体視する際の画像は、正方形や長方形等の矩形内に表されることが多いが、例えば、ハート型や円等、任意の形状内に表すことが可能である。
また、本願発明請求項２は、前記レンズ基板は、少なくとも２つのレンズが設けられたレンズ支持基板と、前記レンズ支持基板と貼着し、少なくとも１つのレンズ穴が設けられたレンズ形成基板を有することを特徴とする請求項１記載のビュアーである。
【００２３】
すなわち、本願請求項２記載の発明によれば、レンズ基板は、レンズ支持基板と、レンズ形成基板を有するため、レンズをより固定することが可能であり、更に、レンズ基板をより強固にすることが可能になるため、右折曲線部と左折曲線部を山折と谷折に折る際にレンズ基板にかかる圧力、若しくは、立体視する際のビュアーを抑える力によってレンズ基板が変形するのを抑えることが可能になる。つまり、本願請求項１に包含される形態である、レンズ基板が一枚の基板である場合は、レンズ基板が、レンズを支持し固定する役割と、その上下左右それぞれ辺で他の基板と連接してビュアーを構成する役割の二つの役割を担うため、レンズの重みに耐えられなくなってしまう場合も考えられる。例えば、レンズが厚い方が加工しやすくなるため、作業効率を上げようとすると、レンズが厚くなることが多い。しかし、レンズを暑くすると、その分レンズは重くなるため、その結果、レンズ基板がレンズの重みに耐えられず、ビュアーを使用する際に、レンズがレンズ基板から外れてしまうといったことが考えられる。しかし、本願発明請求項２記載のビュアーでは、レンズ基板は、互いに貼着するレンズ支持基板とレンズ形成基板をしているため、レンズ支持基板が、レンズを支持し固定する役割を担い、レンズ形成基板が、その上下左右の辺で他の基板と連接してビュアーを構成する役割を担うため、レンズをより固定することが可能になり、どのような大きさのレンズを採用しても、レンズが取れてしまうことを防ぐことが可能になる。
【００２４】
更に、本願請求項２記載の発明では、レンズ基板は、レンズ支持基板とレンズ形成基板が互いに貼着し、更に、それぞれの役割が分かれているため、レンズ基板をより強固にすることが可能になる。
【００２５】
すなわち、本願請求項１に包含される形態である、レンズ基板が一枚の基板である場合は、レンズ基板が、レンズを支持し固定する役割と、その上下左右それぞれ辺で他の基板と連接してビュアーを構成する役割の二つの役割を担っていたため、設けるレンズによっては立体視する際にレンズ基板が曲がってしまう場合があるという問題を有していた。それは、本願発明のビュアーが、反射物品と透過物品の両方を立体視することが可能なビュアーであること、及び、右折曲線部と左折曲線部を山折若しくは谷折に折り、レンズ基板と画像掲示基板とを近づけたり、遠ざけたりすることによって焦点を合わせることが可能であることに起因する。すなわち、本願本願発明のビュアーは、反射物品と透過物品の両方を立体視することが可能なビュアーであり、反射物品を立体視する際は右折曲線部と左折曲線部を山折に折ることによって行い、透過物品を立体視する際には右折曲線部と左折曲線部を谷折に折ることによって行うため、右折曲線部と左折曲線部を山折から谷折に折り返す、若しくは、谷折から山折に折り返す動作が必要になる。このとき、表右支持基板、裏右支持基板、表左支持基板、及び、裏左支持基板のみを持って折り返すのであれば問題は無いが、レンズ基板右山折線部とレンズ基板左山折線部の近傍を押さえながら折り返す場合も考えられる。つまり、それぞれの手の親指でレンズ基板右山折線部とレンズ基板左山折線部の近傍をそれぞれ押さえ、それぞれの手の親指以外のいずれかの指で画像掲示基板右山折線部と画像掲示基板左山折線部の近傍をそれぞれ押さえた後、右手は表右支持基板又は裏右支持基板、及び、左手は表左支持基板又は裏左支持基板を、それぞれの中指または人差し指で引っ張ることによって谷折に折られている右折曲線部と左折曲線部を山折に折り返す場合が考えられる。また、山折に折られている右折曲線部と左折曲線部を谷折に折り返す場合は、右手は中指または人差し指で表右支持基板又は裏右支持基板を押すことによって、左手は中指または人差し指で表左支持基板又は裏左支持基板を押すことによって、山折に折られている右折曲線部と左折曲線部を谷折に折り返すという場合が考えられ、このような場合では、折り返す際にレンズ基板に圧力がかかり、その結果、レンズ基板が曲がってしまうことが考えられる。
【００２６】
また、本願発明のビュアーは、右折曲線部と左折曲線部を山折、若しくは、谷折に折ると同時に上突出山折線部と下突出山折線部を山折に折ることによって、レンズ基板と画像掲示基板とを近づけたり、遠ざけたりすることが可能になり、焦点を合わせることが可能である。このとき、レンズ基板と画像掲示基板とを近づけるには、レンズ基板右山折線部のレンズ基板側の近傍と、レンズ基板左山折線部のレンズ基板側近傍をそれぞれ右手と左手の親指で押さえ、画像掲示基板右山折線部の画像掲示基板側の近傍と、画像掲示基板左山折線部の画像掲示基板側の近傍を右手と左手の親指以外のいずれかの指でそれぞれ押さえて、レンズ基板を画像掲示基板に近づくように押す必要がある。その結果、レンズ基板に圧力がかかり、レンズ基板が曲がってしまうことが考えられる。
【００２７】
レンズ基板が曲がってしまうと、右目が位置する右目用のレンズの中心と左目が位置する左目用のレンズの中心が水平にならなくなってしまうため、焦点がうまく合わなくなり、立体視が困難になってしまう。しかし、本願請求項２記載の発明では、レンズ基板は、レンズ基板を構成するレンズ支持基板とレンズ形成基板が互いに貼着し、更に、それぞれの役割が分かれているため、レンズ基板をより強固にすることが可能になる。すなわち、レンズ基板を構成するレンズ支持基板がレンズを支持し固定する役割を担い、また、レンズ基板を構成するレンズ形成基板がその上下左右の辺で他の基板と連接してビュアーを構成する役割を担うため、レンズ基板をより強固にすることが可能になる。その結果、右折曲線部と左折曲線部を山折又は谷折にする際や、焦点を合わせる際にレンズ基板に圧力がかかってもレンズ基板が曲がってしまうことを防ぐことが可能になる。
【００２８】
なお、レンズ支持基板とレンズ形成基板の大きさは、任意の大きさにすることが可能であるが、レンズ支持基板とレンズ形成基板の大きさと略同じ、若しくは、レンズ支持基板の方がレンズ形成基板よりも小さい方が、レンズ形成基板下山折線部と、レンズ形成基板上山折線部と、レンズ形成基板右山折線部と、レンズ形成基板左山折線部を、容易に山折に折ることが可能になるため好ましい。
【００２９】
更に、レンズ支持基板とレンズ形成基板は略同じ大きさであれば、上述した効果をより顕著にすることが可能になる。すなわち、レンズ支持基板とレンズ形成基板とを略同じ大きさにすれば、立体視する際に、レンズ基板のレンズ基板上山折線部、及び、レンズ基板下山折線部を持つことによる圧力がレンズ基板にかかっても、レンズ基板が曲がることをより防ぐことが可能になる。つまり、本願発明のビュアーを使用する際は、ビュアーの左右を持つ事が好ましいが、ビュアーをはじめて使用したり、手が小さいために左右を持つことでビュアーを支えることができない幼児がビュアーを使用する際は、ビュアーのレンズ基板の上辺と下辺を持ってビュアーを持つ場合が考えられる。例えば、レンズ基板上山折線部の表上支持基板側の近傍と、レンズ基板下山折線部の表下支持基板側の近傍をそれぞれ人差し指と親指で持った結果、レンズ基板を縦方向に挟むように持つ場合等が考えられる。この場合、本願請求項１記載の発明に包含される形態であるレンズ基板が一枚の場合であれば、レンズ基板を縦方向に押す力が働くため、レンズ基板が縦方向に曲がってしまうことが考えられる。しかし、レンズ基板が、互いに貼着するレンズ支持基板とレンズ形成基板を有し、更にレンズ支持基板とレンズ形成基板との大きさが略同じであれば、レンズ基板を縦方向に挟むように持つことによって、レンズ基板を縦方向に押す力が働いても、レンズ基板が曲がってしまうことを防ぐことが可能になる。結局、レンズ基板が、少なくとも２つのレンズ基板が設けられたレンズ支持基板と、前記レンズ支持基板と貼着し、少なくとも１つのレンズ穴が設けられた、前記レンズ基板と略同型のレンズ形成基板を有することによって、レンズをより固定することが可能であり、かつ、レンズ基板にどのように圧力がかかってもレンズ基板を曲げることを防ぐことが可能になる。
【００３０】
ここで、レンズ穴とは、レンズ支持基板に設けられた少なくとも２つのレンズを覗くことが可能になるように設けられる穴である。そして、このレンズ穴は、少なくとも一つあればよい。例えば、レンズ支持基板に設けられた少なくとも２つのレンズが一つのレンズ穴に位置するように、レンズ穴を楕円状に設けてもよいし、また例えば、一つのレンズ穴に一つのレンズが位置するように、レンズ形成基板に少なくとも二つのレンズ穴を設けるようにしてもよい。なお、レンズ形成基板に設けるレンズ穴の大きさは、レンズ支持基板に設けられた少なくとも２つのレンズを覗いて立体視することが可能であれば任意の大きさにすることが可能である。例えば、レンズ形成基板の、レンズ支持基板に設けられたレンズと相当する位置にレンズ穴を少なくとも２つ設ける場合は、それぞれのレンズ穴をレンズと略同じ大きさにしてもよいし、レンズよりも大きくしてもよい。また、レンズを覗いて立体視することが可能であれば、レンズよりも小さくすることも可能である。例えば、レンズは直径３ｃｍの円とし、レンズ形成基板に設けるレンズ穴を直径１ｃｍ円とし、レンズの中心とレンズ穴の中心をそれぞれ合わせるように貼着することも可能である。また、レンズ穴の形状も円や楕円に限定する必要はなく、任意の形状を採用することが可能である。
【００３１】
なお、レンズ支持基板とレンズ形成基板は、容易に剥離することが可能になるように貼着させることも可能である。レンズ支持基板とレンズ形成基板が容易に剥離可能になるように貼着させることによって、レンズ基板のみを保護することが可能になるため、レンズに傷がつかないように保護することを、より容易に行うことが可能になる。また、レンズ支持基板とレンズ形成基板は、任意のものを採用して形成することが可能であるが、上述した理由の通り、紙で形成することが好ましい。
【００３２】
また、本願発明請求項３は、前記右窓部と左窓部は、それぞれ２つの台形を下底で合わせた6角形であり、前記下底が右折曲線部と左折曲線部にそれぞれ位置することを特徴とする請求項１乃至請求項２いずれか一つに記載のビュアーである。
【００３３】
すなわち、本願請求項３記載の発明によれば、前記右窓部と左窓部が、それぞれ２つの台形を下底で合わせた6角形であり、前記下底が右折曲線部と左折曲線部にそれぞれ位置するため、最小の面積で、十分な視界を得ることが可能な右窓部と左窓部を形成することが可能になるため、反射光が右窓部と左窓部からビュアー内部に入る事をより防ぐことが可能であり、透過物品をより鮮明に立体視することが可能になる。
【００３４】
つまり、本願発明の請求項１に包含される形態である、その縦方向の長さと横方向の長さをレンズの直径以上の任意の長さにした右窓部と左窓部を設けた場合は、右折曲線部と左折曲線部を谷折にしたことによって視界を遮ってしまうことをより防ぐことが可能であるが、右窓部と左窓部が大きいため、右窓部と左窓部から反射光がビュアー内部に入ってしまい、透過物品を美しく立体視することが困難になってしまう場合も考えられる。本願請求項３記載のビュアーは、右窓部と左窓部を、それぞれ２つの台形を下底で合わせた6角形とし、前記下底が右折曲線部と左折曲線部にそれぞれ位置するように設けるため、視界を遮ることなく、右窓部と左窓部を最小の面積にすることが可能になり、右窓部と左窓部から反射光がビュアー内部に入ってしまうことをより防ぐことが可能になる。
【００３５】
なお、右窓部及び左窓部の6角形は、それぞれ2つの台形を下底で合わせたものであるが、２つの台形のそれぞれの上底は、右窓部側では表右支持基板と裏右支持基板に位置し、左窓部側では表左支持基板と裏左支持基板に位置する。また、それぞれの台形の高さは、レンズの半径以上であり、下底の長さはレンズの直径以上である。結局、本願請求３記載の発明では、上底が、右窓部と左窓部の縦方向の最大を形成して、表右支持基板、裏右支持基板、表左支持基板、及び、裏左支持基板が画像の少なくとも右側、又は、左側を隠してしまうという問題を解決するという役割を担い、下底が、右窓部と左窓部の面積を最小にするという役割を担っている。その結果、視界を遮ることなく、右窓部と左窓部を最小の面積にすることが可能になり、右窓部と左窓部から反射光がビュアー内部に入ってしまうことをより防ぐことが可能になる。なお、それぞれの基板に設ける台形は、それぞれ左右対称である必要はなく、立体視する画像の形状や、ビュアーの使用目的によって非対称にすることも可能である。また、上底と下底を結ぶものは、それぞれ直線である必要はなく、立体視する画像の形状や、ビュアーの使用目的によって任意の形状にすることが可能である。例えば、円弧や自由曲線のように曲線でもよいし、折れ線でもよい。結局、本願発明の請求項３において、台形とは、右窓部と左窓部の縦方向の長さの最大を形成して、表右支持基板、裏右支持基板、表左支持基板、及び、裏左支持基板が画像の少なくとも右側、又は、左側を隠してしまうという問題を解決するという役割を担う上底と、右窓部と左窓部の面積を最小にするという役割を担う下底に対応する部分が存在すれば、いずれのものでもよく、例えば、上底と下底は並行でなくてもよく、上底と下底に対応する部分が曲線であってもよい。なお、表右支持基板、裏右支持基板、表左支持基板、及び、裏左支持基板に設けられる台形の形は、立体視する画像の形状やビュアーの使用目的によって、それぞれの基板ごとに任意の形状にすることが可能である。たとえば、それぞれの基板に別々の形状の台形を設けてもよいし、全ての基板に同じ形状の台形を設けてもよい。なお、概観を美しくしたい場合は、表左支持基板と表左支持基板に設ける台形は同じ形状であり、かつ、裏左支持基板と裏左支持基板に設ける台形は同じ形状である事が好ましく、更には、すべての基板に設ける台形が同じ形状であることがより好ましい。なお、それぞれの台形の高さは、レンズの半径以上であれば、視界が遮られてしまうことを防ぐことが可能である。なお、それぞれの台形の高さは任意に定めることが可能であり、例えば、全ての高さを同じにしなくてもよいが、より高くすることは、反射光を不要にビュアー内に取り入れることになるため、それぞれの高さは同一であることが好ましい。なお、台形の高さとは、下底の任意の点から上底に向かって垂直に伸ばした直線が上底と交わる点で切った線分の長さの最大値をさす。
【００３６】
また、本願発明請求項４は、前記レンズ基板下山折線部の略中心に、レンズ基板と、表下支持基板に渡って設けられ、鼻を挿入することが可能な大きさの鼻窓を有することを特徴とする請求項１乃至請求項３いずれか一つに記載のビュアーである。
【００３７】
すなわち、本願請求項4記載の発明によれば、立体視をする際に、鼻穴に鼻を入れることが可能になるため、画像観察者の目とレンズをより近接させることが可能になり、より鮮明に立体視することが可能になる。更に、鼻穴に鼻を入れることが可能になるため、ビュアーの表面を汚してしまうことを防ぐことが可能になる。
【００３８】
すなわち、鼻の頭というのは油分が多いため、ビュアーを何度も使用し、鼻の頭が何度もビュアーに付くようになると、鼻の頭がついた部分のみ変色してしまい、ビュアーの外観が低下してしまう。本願請求項４記載の発明では、鼻を挿入できる鼻穴を設け、鼻を挿入することが可能になるため、鼻の頭がビュアーに直接接する事が可能になるため、ビュアーの表面を汚してしまうことを防ぐことが可能である。
【００３９】
また、本願発明請求項５は、前記請求項１乃至請求項５いずれか一つに記載のビュアーを添付した冊子体である。
【００４０】
すなわち、本願請求項５記載の発明によれば、より興味を持たせる冊子体を提供することが可能である。
【発明の効果】
【００４１】
本願発明の請求項１によれば、簡易な構造で、透過物品と反射物品の、両方の物品を一つのビュアーで立体視することが可能なビュアーを提示することが可能になるという作用効果を奏する。
【００４２】
また、本願発明の請求項２によれば、レンズ基板は、レンズ支持基板と、レンズ形成基板を有するため、レンズをより固定することが可能であり、更に、レンズ基板をより強固にすることが可能になるため、右折曲線部と左折曲線部を山折と谷折に折る際にレンズ基板にかかる圧力、若しくは、立体視する際のビュアーを抑える力によってレンズ基板が変形するのを抑えることが可能になるという作用効果を奏する。
【００４３】
また、本願発明の請求項３によれば、前記右窓部と左窓部が、それぞれ２つの台形を下底で合わせた6角形であり、前記下底が右折曲線部と左折曲線部にそれぞれ位置するため、最小の面積で、十分な視界を得ることが可能な右窓部と左窓部を形成することが可能になるため、反射光が右窓部と左窓部からビュアー内部に入る事をより防ぐことが可能であり、透過物品をより鮮明に立体視することが可能になるという作用効果を奏する。
【００４４】
また、本願発明の請求項４によれば、立体視をする際に、鼻穴に鼻を入れることが可能になるため、画像観察者の目とレンズをより近接させることが可能になり、より鮮明に立体視することが可能になる。更に、鼻穴に鼻を入れることが可能になるため、ビュアーの表面を汚してしまうことを防ぐことが可能になるという作用効果を奏する。
【００４５】
また、本願発明の請求項５によれば、より興味を持たせる冊子体を提供することが可能である。
【００４６】
また、本願発明の請求項５によれば、より興味を持たせる冊子体を提供することが可能である。
【発明を実施するための最良の形態】
【００４７】
以下、本願発明を図面に基づき詳細に説明する。
【００４８】
図１は、本願発明におけるビュアーの斜視図である。なお、図1において、実践部は、ビュアーを図１の角度から見た際に見える部分であり、点線部は、ビュアーを図１の角度から見た際に見えないが、存在する部分である。
図１において、１はビュアー、２は右目用レンズ、３は左目用レンズ、４はレンズ外側固定部、５はレンズ基板、６はレンズ支持基板、７はレンズ形成基板、８はレンズ穴、９画像掲示部、１０は画像掲示基板、１１は画像固定部、１２はレンズ基板下山折線部、１３は表下支持基板、１４は下突出山折線部、１５は画像掲示基板下山折線部、１６は裏下支持基板、１７はレンズ基板上山折線部、１８７は表上支持基板、１９は上突出山折線部、２０は画像掲示基板上山折線部、２１は裏上支持基板、２２はレンズ基板右山折線部、２３は表右支持基板、２４は右折曲線部、２５は画像掲示基板右山折線部、２６は裏右支持基板、２７はレンズ基板左山折線部、２８は表左支持基板、２９は左折曲線部、３０は画像掲示基板左山折線部、３１は裏左支持基板、３２は右窓部、３３は左窓部、３４は採光窓部、３５は鼻穴、３６はレンズ支持基板中心、３７は右目用レンズ２の中心、３８は左目用レンズ３の中心、３９は右目用レンズ２の中心３７から左目用レンズ３の中心３８までの距離、４０は右目用レンズの直径、４１は左目用レンズの直径、４２採光窓部のうち開閉可能な蓋部、４３は採光窓部のうち反射光を取り入れる窓部、４４は採光窓部折曲線部、４５は支持基板間、４６はビュアー１の内部である。
【００４９】
図１において、ビュアー１は、レンズ基板５と、画像掲示基板１０と、画像固定部１１と、表下支持基板１３と、裏下支持基板１６と、表上支持基板１８と、裏上支持基板２１と、表右支持基板２３と、裏右支持基板２６と、表左支持基板２８と、裏左支持基板３１によって構成されている。
レンズ基板５は、右目が位置する右目用レンズ２、左目が位置する左目用レンズ３、及び、右目用レンズ２と左目用レンズ３を固定するレンズ外側固定部４を有する長方形のレンズ支持基板６と、レンズ支持基板６に貼着し１つのレンズ穴８を有するレンズ支持基板６と略同型のレンズ形成基板７よりなる。また、レンズ支持基板６は、右目用レンズ２と、左目用レンズ３と、右目用レンズ２と左目用レンズ３の外側を固定するレンズ外側固定部４を有しており、右目用レンズ２は、レンズ支持基板６の２つの対角線の交点であるレンズ支持基板中心３６から水平右方向に略３．１５ｃｍ離れた点である右目用レンズの中心３７にその中心が位置するように設けられており、その形状は直径３９が２．８ｃｍの円である。左目用レンズも同様に、レンズ支持基板中心３６から水平左方向に略３．１５ｃｍ離れた点である左目用レンズの中心３８にその中心が位置するように設けられており、その形状は直径４０が２．８ｃｍの円である。なお、右目用レンズ２の中心３７から左目用レンズ３の中心３８までの距離３９は、本実施の形態では、人間の右目と左目の間隔の標準値である６．３ｃｍになるようにしているが、これに限定する必要は無く、ビュアーを使用する対象者に合わせて任意の数値にすることが可能である。また、本実施の形態では、右目用レンズ２と左目用レンズ３は、その直径が２．８ｃｍの円であるがこれに限定する必要は無く任意の大きさにすることが可能である。また、それぞれのレンズの材料は公知のものを採用することが可能である。また、本実施の形態では、レンズの倍率は、右目用レンズ２と左目用レンズ３共に３倍である。レンズの倍率を３倍にしたのは本願発明のビュアーが、透過物品と反射物品の両方を立体視するため、３倍よりも大きくなるよう倍率を上げてしまうと、反射物品を構成する網点が見えてしまうことに起因する。なお、より倍率の高いレンズを採用することも可能である。ただし、倍率の高いレンズを採用した場合は、反射物品を構成する網点がより見えやすくなってしまうため、例えば、網点スクリーンの線数が1インチ辺り、５００本以上、更に好ましくは７５０本以上の高密度で印刷された反射物品を採用することが好ましいがこれに限定する必要はない。
【００５０】
また、本実施の形態では、レンズ支持基板６に設けられている右目用レンズ２と左目用レンズ３は、レンズ外側固定部４に固定されている。つまり、レンズの外周と貼着してレンズを固定するレンズ外側固定部４に右目用レンズ２と左目用レンズ３をそれぞれ固定させた後、それぞれのレンズが固定されたレンズ外側固定部４がレンズ支持基板６に設けられている。このことによって、右目用レンズ２の中心３７と、左目用レンズ３の中心３８を容易に略水平にすることが可能になり、製造コストを下げることが可能になる。更に、本実施の形態では、右目用レンズ２と左目用レンズ３はレンズ外側固定部４を形成する際に一緒に形成されており、右目用レンズ２と左目用レンズ３とレンズ外側固定部４を一緒に形成した後、それぞれのレンズが設けられたレンズ外側固定部４を基板に設けることによってレンズ支持基板６を形成している。このことによって、それぞれのレンズをレンズ外側固定部４に固定するという工程を減らすことが可能になり、レンズを触る機会を減らすことが可能になるため、レンズに傷が付くことを防ぐことが可能になる。なお、レンズ支持基板６を形成する方法は任意の方法を採用することが可能であり、本実施の形態のように、右目用レンズと左目用レンズとレンズ外側固定部の金型を一体にして、右目用レンズ２と左目用レンズ３を形成するのと一緒にレンズ外側固定部４を形成してしまうようにすることも可能であるし、例えば、右目用レンズ２と左目用レンズ３は、レンズ外側固定部４とは別に形成し、それぞれのレンズをレンズ外側固定部４の所定の位置に固定させた後、基板にレンズが設けられたレンズ外側固定部４を設けてレンズ支持基板６を形成するようにしてもよい。なお、レンズ外側固定部４を使用しないで、例えば、レンズ支持基板４に直接右目用レンズ２と左目用レンズ３を設けるようにすることも可能である。また、本実施の形態では、レンズ基板５は、レンズ支持基板６とレンズ形成基板７より形成されるが、これに限定する必要は無く、レンズ基板５は一枚の基板から形成することも可能である。レンズ基板５を一枚の基板にすると、レンズ基板５の強度は弱くなるものの、基板を一枚にすることが可能であるため、材料費を抑えることが可能になるという利点を有する。なお、レンズ外側固定部４を使用してもしなくても、右目用レンズ２と左目用レンズ３をレンズ基板５、又は、レンズ支持基板４に設ける際は、右目用レンズ２の中心と左目用レンズ３の中心が略水平になるように設ける必要がある。
【００５１】
また、レンズ形成基板７は、レンズ支持基板６と貼着しており、レンズ支持基板６に設けられたレンズを覗くことが可能になるよう、レンズ穴８が設けられている。本実施の形態では、レンズ穴８は、レンズ支持基板６に設けられた右目用レンズ２と左目用レンズ３とレンズ外側固定部４が見えるように、レンズ外側固定部の外周と略同じ形状の穴である。なお、これに限定する必要は無く、例えば、一つのレンズ穴８に一つのレンズが位置するように、レンズ形成基板７にレンズ穴８を少なくとも２つ設けることも可能である。
【００５２】
また、本実施の形態では、レンズ基板５を形成するレンズ形成基板７の上下左右の辺は、それぞれ他の支持基板と連接されている。レンズ形成基板７の下辺はレンズ基板下山折線部１２を介して表下支持基板１３と連接し、レンズ形成基板７の上辺はレンズ基板上山折線部１７を介して表上支持基板１８と連接し、レンズ基板形成７の右辺はレンズ基板右山折線部２２を介して表右支持基板２３と連接し、レンズ基板形成７の左辺はレンズ基板左山折線部２６を介して表左支持基板２３と連接している。また、表下支持基板１３は、レンズ基板下山折線部１２と対向する辺で、下方向に突出する下突出山折線部１４を介して裏下支持基板１６と連接し、裏下支持基板１６は、下突出山折線部１４と対向する辺で、画像掲示基板下山折線部１５を介して画像掲示基板１０の下辺と連接している。同様に、表上支持基板１８は、前記レンズ基板上山折線部１７と対向する辺で、上方向に突出する上突出山折り線部１９を介して裏上支持基板２１と連接し、裏上支持基板２１は、上突出山折線部１９と対向する辺で、画像掲示基板上山折線部２０を介して画像掲示基板１０の上辺と連接している。また、表右支持基板２３は、レンズ基板右山折線部２２と対向する辺で、山折、及び、谷折に折曲自在な右折曲線部２４を介して裏右支持基板２６と連接し、裏右支持基板２６は、右折曲線部２４と対向する辺と、画像掲示基板右山折線部２５を解して画像掲示基板１０の右辺と連接している。同様に、表左支持基板２８は、レンズ基板左山折線部３０と対向する辺で、山折、及び、谷折に折曲自在な左折曲線部２９を介して裏左支持基板３１と連接し、裏左支持基板３１は、左折曲線部２９と対向する辺と、画像掲示基板左山折線部３０を解して画像掲示基板１０の左辺と連接して、ビュアー１を構成している。
【００５３】
そして、レンズ基板下山折線部１２、レンズ基板上山折線部１７、画像掲示基板上山折線部２０、画像掲示基板下山折線部１５、上突出山折線部１９、及び、下突出山折線部１４はそれぞれ同じ長さであり、レンズ基板右山折線部２２、レンズ基板左山折線部２７、画像掲示基板右山折線部２５、画像掲示基板左山折線部３０、右折曲線部２４、及び、左折曲線部２９もそれぞれ同じ長さである。また、レンズ基板５と画像掲示基板９は略同じ形状であり、長方形をしている。また、表上支持基板１８、裏上支持基板２１、表下支持基板１３、及び、裏下指示基板１６の形状も略同じであり、これらの長辺がレンズ基板５と画像掲示基板１０の長辺と略同じ長さである長方形をしている。また、表右支持基板２３、裏右支持基板２６、表左支持基板２８、及び、裏左支持基板３１も同じ形状であり、これらの長辺が表上支持基板１８、裏上支持基板２１、表下支持基板１３、及び、裏下指示基板１６の短辺と略同じ長さであり、これらの短辺がレンズ基板５と画像掲示基板１０の短辺と略同じ長さである長方形をしている。すなわち、本実施の形態では、ビュアー１は、上突出山折線部１９と下突出山折線部１４と右折曲線部２４と左折曲線部２９を折らずに延ばし、支持基板間４５に間隙を形成しないようにすると、略直方体を形成するように構成されている。また、上突出山折線部１９と下突出山折線部１４と右折曲線部２４と左折曲線部２９が、ビュアー１の同一外周上に位置しているため、右山折線部２４と左山折線部２９を山折、若しくは、谷折に折曲させると、上突出山折線部１９と下突出山折線部１４が抵抗無く上方向、及び下方向にそれぞれ突出することが可能になる。なお、本実施の形態のビュアー１では、画像掲示基板１０とレンズ基板５がそれぞれ同じ形状であり、表上支持基板１８と裏上支持基板２１と表下支持基板１３と裏下支持基板１６がそれぞれ同じ形状であり、表右支持基板２３と裏右支持基板２６と表左支持基板２８と裏左支持基板３１がそれぞれ同じ形状であるが、これに限定する必要は無く、例えば、画像掲示基板１０をレンズ基板５よりも大きくし、上突出山折線部１９と下突出山折線部１４と右折曲線部２４と左折曲線部２９を折らずに延ばした場合に略角錐を形成するように、表上支持基板１８、裏上支持基板２１、表下支持基板１３、裏下支持基板１６、表右支持基板２３、裏右支持基板２６、表左支持基板２８、及び、裏左支持基板３１を設けることも可能である。なお、レンズ基板５と画像掲示基板１０を連接する、表上支持基板１８、裏上支持基板２１、表下支持基板１３、裏下支持基板１６、表右支持基板２３、裏右支持基板２６、表左支持基板２８、及び、裏左支持基板３１が、上突出山折線部１９と下突出山折線部１４と右折曲線部２４と左折曲線部３０を折らずに延ばしたとき、略筒状になるように形成したほうが、反射光をより遮断することが可能になるため好ましいがこれに限定するわけではない。また、本実施の形態では、上突出山折線部１９と下突出山折線部１４と右折曲線部２４と左折曲線部２９が、レンズ基板５と画像掲示基板１０の間の略中央で折曲するがこれに限定する必要は無く、レンズ基板５と画像掲示基板１０の間で折曲すれば任意の位置に設けることが可能である。例えば、レンズ基板５と画像掲示基板１０の間を３等分した場合のレンズ基板５寄りの位置で折曲するようにしてもよい。なお、本実施の形態のように、上突出山折線部１９と下突出山折線部１４と右折曲線部２４と左折曲線部２９が、ビュアー１の同一外周上に位置するようにそれぞれの基板を形成したほうが、右折曲線部２４と左折曲線部２９を山折、若しくは、谷折にした際に上突出山折線部１９と下突出山折線部１４を抵抗なく山折することが可能になるため好ましい。
【００５４】
採光窓部３４は、裏上支持基板２１に設けられており、開閉可能な蓋部４２と、反射光を取り入れる窓部４３よりなる。また本実施の形態では、採光窓部３４は、裏上支持基板２１にこの字型に切り込みを入れたものであるため、蓋部４２はこの字型に切り取られた裏上支持基板２１であり、また、窓部４３は長方形をしている。そして、窓部４３から反射光をビュアー１の内部４６に取り入れる際は、裏上支持基板２１と蓋部４２とを連接している採光窓部折曲線部４４を折曲することによってなされる。また、蓋部４２によって窓部４３を閉じる場合は、折曲されていた採光窓折曲線部４３を元に戻すことによってなされる。なお、採光窓部３４の大きさや形状は、任意の大きさや形状とすることが可能である。例えば、表上支持基板１８、裏上支持基板２１、表下支持基板１３、裏下支持基板１６、表右支持基板２３、裏右支持基板２６、表左支持基板２８、及び、裏左支持基板３１が大きく、支持基板間４５に形成される間隙が大きくなった結果、支持基板間４５に形成される間隙だけで十分な反射光をビュアー１の内部４６に取り入れることが可能な場合は、採光窓部３４を小さく形成するほうが好ましく、逆に、表上支持基板１８、裏上支持基板２１、表下支持基板１３、裏下支持基板１６、表右支持基板２３、裏右支持基板２５、表左支持基板２８、及び、裏左支持基板３１が小さいため、支持基板間４５に形成される間隙が小さくなってしまった結果、支持基板間４５に形成される間隙だけでは十分な反射光をビュアー１の内部４６に取り入れることができない場合は、採光窓部３４を大きく形成するほうが好ましい。また、形状に関しても、開閉可能であれば、任意の形状を採用することが可能である。例えば、多角形や円やこれらの組み合わせ等でもよい。また採光窓部３４は２つ以上存在してもよい。なお、採光窓部３４をあまりにも大きくしたり、数を多くすると、反射光をより取り入れることが可能になるが、採光窓部３４が開き易くなってしまい、透過物品を立体視することが困難になってしまうため、採光窓部３４は透過物品を立体視することが可能な程度の大きさ、及び、数であることが好ましい。なお、図示しないが、蓋部４２若しくは窓部４３若しくは裏上支持基板に蓋部４２を係止する係止部を設ければ、採光窓部３４を閉じた状態、及び、明けた状態を保つことが可能になるため好ましい。また、採光窓部３４は、表上支持基板１８に設けることも可能である。
【００５５】
図２は、採光窓部３４を表上支持基板１８に設けた状態を示した斜視図である。図２において、図１と同じ番号を付したものは同じものであるため説明を割愛する。図２に示すように、採光窓部３４を表上支持基板１８に設ければ、人間の額が採光窓部３４に当たるようになるため、蓋部４２によって採光窓部３４に蓋をしてもなお、その隙間から反射光が入ろうとする事を防ぐことが可能になり、透過物品をより容易に立体視することが可能になる。すなわち、少なくとも２つのレンズが設けられたレンズ基板と、前記レンズ基板と対向し、同一被写体を異なる視点で表した少なくとも2つの画像を掲示する、少なくとも１つの画像掲示部を有する画像掲示基板と、前記画像掲示部に画像を掲示させるため、画像を固定する画像固定部と、前記レンズ基板の下辺と、レンズ基板下山折線部を介して連接する表下支持基板と、前記表下支持基板の、レンズ基板下山折線部と対向する辺と、下方向に突出する下突出山折線部を介して連接し、かつ、前記画像掲示基板の下辺と、画像掲示基板下山折線部を介して連接する裏下支持基板と、前記レンズ基板の上辺と、レンズ基板上山折線部を介して連接する表上支持基板と、前記表上支持基板の、レンズ基板上山折線部と対向する辺と、上方向に突出する上突出山折線部を介して連接し、かつ、前記画像掲示基板の上辺と、画像掲示基板上山折線部を介して連接する裏上支持基板と、を有するビュアーにおいて、前記レンズ基板の右辺と、レンズ基板右山折線部を介して連接する表右支持基板と、前記表右支持基板の、レンズ基板右山折線部と対向する辺と、山折、及び、谷折に折曲自在な右折曲線部を介し、かつ、前記画像掲示基板の右辺と、画像掲示基板右山折線部を介して連接する裏右支持基板と、前記表右支持基板、右折曲線部、及び、裏右支持基板に渡って設けられ、その縦方向の長さの最大がレンズの直径以上、その横方向の長さの最大がレンズの直径以上である右窓部と、前記レンズ基板の左辺と、レンズ基板左山折線部を介して連接する表左支持基板と、前記表左支持基板の、レンズ基板左山折線部と対向する辺と、山折、及び、谷折に折曲自在な左折曲線部を介して連接する裏左支持基板と、前記表左支持基板、左折曲線部、及び、裏左支持基板に渡って設けられ、その縦方向の長さの最大がレンズの直径以上、その横方向の長さの最大がレンズの直径以上である左窓部と、前記表上支持基板に設けられ、開閉自在な採光窓部と、前記画像掲示基板、表下支持基板、裏下支持基板、表上支持基板、裏上支持基板、表右支持基板、裏右支持基板、表左支持基板、及び、裏左支持基板の各基板の内側に設けられ、光を吸収する吸収層と、を有することを特徴とするビュアーでは、山折、谷折に折曲自在な右折曲線部と左折曲線部を有するため、簡易な構造で、透過物品と反射物品の両方を立体視することが可能であるという本願発明請求項１と同じ効果を有することが可能である。
【００５６】
更に、採光窓部３４を表上支持基板１８に設けているため、人間の頭部によって、採光窓部３４に蓋をしてもなお、反射光が隙間から入り込もうとするのを遮ることが可能になるという優れた効果を奏する。なお、採光窓部３４を表上支持基板１８に設けた場合においても、前記レンズ基板５が、少なくとも２つのレンズが設けられたレンズ支持基板６と、前記レンズ支持基板６と貼着し、少なくとも１つのレンズ穴８が設けられたレンズ形成基板７を有するようにしてもよい。すなわち、前記レンズ基板は、少なくとも2つのレンズが設けられたレンズ支持基板と、前記レンズ支持基板と貼着し、少なくとも１つのレンズ穴が設けられたレンズ形成基板を有することを特徴とする請求項１記載のビュアーでは、頭部によって、閉じた採光窓部３４の隙間から反射光が入り込もうとするのを遮ることが可能になるという問題を解決することが可能になる上に、本願請求項２記載の発明と同様の作用効果を得ることが可能になる。また、採光窓部３４を表上支持基板１８に設けた場合においても、右窓部３２と左窓部３３は、それぞれ２つの台形を下底で合わせた6角形であり、前記下底が右折曲線部２４と左折曲線部２９にそれぞれ位置するようにしてもよい。すなわち、前記右窓部と左窓部は、それぞれ２つの台形を下底で合わせた6角形であり、前記下底が右折曲線部と左折曲線部にそれぞれ位置することを特徴とする請求項１乃至請求項２いずれか一つに記載のビュアーでは、頭部によって、閉じた採光窓部３４の隙間から反射光が入り込もうとするのを遮ることが可能になる上に、本願請求項３記載の発明と同様の作用効果を得ることが可能になる。また、採光窓部３４を表上支持基板１８に設けた場合においても、レンズ基板下山折線部１２の略中心に、レンズ基板５と、表下支持基板１３に渡って設けられ、鼻を挿入することが可能な大きさの鼻穴３５を有するようにしてもよい。すなわち、前記レンズ基板下山折線部の略中心に、レンズ基板と、表下支持基板に渡って設けられ、鼻を挿入することが可能な大きさの鼻穴を有することを特徴とする請求項１乃至請求項３いずれか一つに記載のビュアーでは、頭部によって、閉じた採光窓部３４の隙間から反射光が入り込もうとするのを遮ることが可能になる上に、本願請求項４記載の発明と同様の作用効果を得ることが可能になる。
【００５７】
なお、採光窓部３４を表上支持基板１８に設けるのか、それとも裏上支持基板２１に設けるのかは、任意に決めることが可能である。例えば、ビュアー１によって立体視される画像が透過物品であることが多い場合は、採光窓部３４の隙間から反射光がビュアー１の内部４６に入り込もうとしても、頭部によって反射光を遮ることができるように採光窓部３４を表上支持基板１８に設けるとよい。また、ビュアー１によって立体視される画像が反射物品であることが多い場合は、頭部によって反射光を遮ってしまうことを防ぐことが可能なように、採光窓部３４を裏上支持基板２１に設けるほうがよい。
【００５８】
また、画像掲示基板１０は、立体視するための画像を掲示する画像掲示部９を有している。本実施の形態では、画像掲示部９は、画像掲示基板１０に設けられた縦方向の長さが２．５ｃｍ、横方向の長さが８．５ｃｍの長方形をした穴であるが、これに限定する必要はない。画像掲示部９は、立体視する画像の大きさ、ビュアーの使用目的によって任意の大きさにすることが可能である。例えば、より多きな画像を立体視したい場合は、画像掲示部９をより大きくすることも可能である。また、画像掲示部９の形状も長方形に限定する必要は無く、任意の形状を採用することが可能である。例えば、正方形や円形でもよいし、星型やハート型でもよい。なお、画像掲示部９に掲示される画像の背面へと光が抜けるようにしなければ、透過物品を立体視することができなくなってしまうため、画像掲示部９の背後は図３に示すように、光拡散シート５６を設けることが好ましく、光拡散シート５６を設けない場合は、何も設けずに、画像の背面へと光が抜けるようにする必要がある。
【００５９】
図３は、図１のビュアーの背部、すなわち、画像固定部側を表した斜視図である。図３において同じ番号を付したものは、図１と同じものであり、５０は画像背面支持基板、５１は画像左側支持基板、５２は画像右側支持基板、５３は画像下側支持基板、５４は画像挿し込み口、５５は画像固定部糊付け部、５６は光拡散フィルムである。
【００６０】
図３において、画像固定部１１は、画像背面支持基板５０と、画像左側支持基板５１と、画像右側支持基板５２と、画像下側支持基板５３と、画像固定部糊付け部５５よりなり、画像固定部糊付け部５５によって画像掲示基板に貼着されている。画像は、画像挿し込み口５４から差し込まれ、画像下側支持基板５３と、画像右側支持基板５２と、画像左側支持基板５１と、画像背面支持基板５０によって、画像掲示基板１０画像掲示部９に掲示されるように固定される。画像背面支持基板５０は、画像掲示部９と略同じ位置に、画像掲示部９と略同じ大きさの穴が設けられており、その穴を覆うように光拡散フィルム５６が張られている。この拡散フィルム５６を設けることで、透過物品を立体視する際に、光を均等に透過物品に透過することが可能になるため、より透過物品をより美しく立体視することが可能になる。なお、本実施の形態では、光拡散フィルム５６はＰＥＴ基材のものを採用したがこれに限定する必要は無く、光の濃度を均等にする役割を果たすものであれば、いずれのものを採用することが可能である。また、光拡散フィルム５６は、光の濃度を均等にする役割を果たし、より美しく立体視することを可能にするために設けられるものであって、光拡散フィルム５６を設けなくてもよい。光拡散フィルム５６を設けない場合は、画像背面支持基板５０には、画像掲示部と略同じ位置に、画像掲示部９と略同じ大きさの穴を設け、光が透過できるようにしておく必要がある。
【００６１】
なお、本実施の形態では、画像固定部１１は、画像背面支持基板５０と、画像左側支持基板５１と、画像右側支持基板５２と、画像下側支持基板５３と、画像固定部糊付け部５５よりなるがこれに限定する必要は無い。画像固定部１１は、画像掲示部に立体視する画像を固定して掲示することが可能であれば、任意の形状にすることが可能である。また、図３に示すように、採光窓部３４をビュアーの表上支持基板１８に設けることで、頭部によって採光窓部３４をふさいでしまうことを防ぐことが可能になる。
【００６２】
図４は、図２に示したのビュアーの背部、すなわち、画像固定部１１側を表した斜視図である。図４において同じ番号を付したものは、図２、および、図３と同じものである。図４に示すように、採光窓部３４を表上支持基板１８に設けることによって、採光窓部３４の隙間から反射光がビュアー１の内部４６に入り込もうとしても、頭部によって反射光を遮ることができる。
【００６３】
図５は、図１におけるビュアー１のレンズ基板５と表下支持基板１３のみを展開した展開図である。
図５において、図１と同じ番号を付したものは同じものである。６０はレンズ基板下山折線部１２の略中心、６１は鼻穴３５のうち、レンズ基板５側に設けられるレンズ基板側鼻穴、６２は鼻穴３５のうち、表下支持基板１３側に設けられる表下支持基板側鼻穴、６３は鼻穴３５の短軸、６４は鼻穴３５の長軸である。
【００６４】
図５において、鼻穴３５は、レンズ基板下山折線部１２の略中心６０に、レンズ基板５と表下支持基板１３に渡って設けられている。なお、本実施の形態では、鼻穴は、レンズ基板５に設けられたレンズ外側固定部４の一部にも渡って設けられている。鼻穴の形状は、その長軸６４を垂直に向けた楕円であり、長軸６４と短軸６３の交点がレンズ基板下山折線部１２の略中心６０に位置するように設けられている。なお、本実施の形態では、鼻穴３５は上述したように設けられているため、鼻穴３５のうちレンズ基板側５に設けられるレンズ基板側鼻穴６１と、鼻穴３５のうち表下支持基板側１３に設けられる表下支持基板側鼻穴６２は同じ形状であるがこれに限定する必要は無い。鼻穴の形状は任意の形状を採用することが可能であり、レンズ基板側鼻穴６１と表支持基板側鼻穴６２もそれぞれ任意の形状にすることが可能である。例えば、レンズ基板側鼻穴６１と表支持基板側鼻穴６２がそれぞれ別々の形状であってもよい。なお鼻穴３５は、本実施の形態のように、短軸６３、すなわち、横方向の長さが、レンズ基板下山折線部に位置するようにした方が、鼻を容易に入れることが可能であり、更に、反射光を必要以上にビュアー内部に反射光を入れないようにすることが可能になるため好ましい。また、一般的に鼻はその断面が略三角形であるため、レンズ基板側鼻穴６１もその底辺がレンズ基板下山折線部１２上に位置する略三角形とし、鼻を挿入した際に、鼻穴と鼻の間に隙間が形成されないようにすると、より反射光をビュアー１の内部４６に入れないようにすることが可能になるため好ましい。ここで、横方向の長さとは、本実施の形態では、鼻穴３５の短軸６３の長さであり、鼻穴のうち、水平方向に最も長い部分の長さである。また、縦方向の長さとは、本実施の形態では、鼻穴３５の長軸６４の長さであり、横方向の長さに垂直に交わる長さのうち、最も長い部分の長さである。横方向の長さと縦方向の長さは任意の長さにすることが可能であるが、あまりにも長くすると、不必要に反射光をビュアー１の内部４６に取り入れることになりかねないため、ビュアーの使用目的に沿った大きさにすることが好ましい。
【００６５】
図６は、図１のビュアーの右側面と左側面を表す側面図である。図６（ａ）は図１のビュアーの右側面、図６（ｂ）は図１のビュアーの左側面を示している。
図６において、図１と同じ番号を付した部分は図１と同じであるため説明を割愛し、６５は右目用レンズの中心３７から画像掲示基板１０に向かって引いた水平線、６６は右側障害点、６７は表右支持基板２３に設けられた表右支持基板側台形、６８は裏右支持基板２６に設けられた裏右支持基板側台形、６９は右折曲線部２４に位置するそれぞれの台形の下底、７０は表右支持基板側台形６７の上底、７１は裏右支持基板側台形６８の上底、７２は表右支持基板側台形６７の高さ、７３は裏右支持基板側台形６８の高さ、７４は左目用レンズ３の中心３８から画像掲示基板１０に向かって引いた水平線、７５は左側障害点、７６は表左支持基板２８に設けられた表左支持基板側台形、７７は裏左支持基板３１に設けられた裏左支持基板側台形、７８は左折曲線部２９に位置するそれぞれの台形の下底、７９は表左支持基板側台形７６の上底、８０は裏左支持基板側台形７７の上底、８１は表左支持基板側台形７６の高さ、８２は裏左支持基板側台形７７の高さである。
【００６６】
図６（ａ）において、右窓部３２は、表右支持基板２３に設けられた表右支持基板側台形６７と、裏右支持基板２６に設けられた裏右支持基板側台形６８よりなり、それぞれの台形の下底６９で合わせた6角形をしている。また、本実施の形態では、表右支持基板側台形６７と裏右支持基板側台形６８の形状は同じであり、表右支持基板２３に位置する表右支持基板側台形６７の上底７０と裏右支持基板２６に位置する裏右支持基板側台形６８の上底７１の長さは、それぞれ右目用レンズ２の直径の略２／３の長さである。また、表右支持基板側台形６７の高さ７２と裏右支持基板側台形６８高さ７３は、それぞれ右目用レンズ２の半径の長さと同じである。また、右折曲線部２４に位置するそれぞれの台形の下底６９の長さは、右目用レンズ２の直径の長さとほぼ同じである。また、本実施の形態では、右窓部３２は、右目用レンズの中心３７から画像掲示基板１０に向かって引いた水平線６５と、下底６９との交点である右側障害点６６に、下底６９のほぼ真ん中が位置するように配置されており、右折曲線部２４を谷折にした際に、最も障害となる、右側障害点６６近傍に右窓部３２が位置するように設けられている。左窓部３３も同様に、図６（ｂ）に示すように、表左支持基板２８に設けられた表右支持基板側台形７６と、裏左支持基板３１に設けられた裏左支持基板側台形７７よりなり、それぞれの台形の下底７８で合わせた6角形をしている。また、本実施の形態では、表左支持基板側台形７６と裏左支持基板側台形７７の形状は同じであり、表左支持基板２８に位置する表左支持基板側台形７６の上底７９と裏左支持基板３１に位置する裏右支持基板側台形７７の上底８０の長さは、それぞれ左目用レンズ３の直径の略２／３の長さである。また、表左支持基板側台形７６の高さ８１と裏左支持基板側台形７７高さ８２は、それぞれ左目用レンズ３の半径の長さと同じである。また、左折曲線部２９に位置するそれぞれの台形の下底７８の長さは、左目用レンズ３の直径の長さとほぼ同じである。また、本実施の形態では、左窓部３３は、左目用レンズの中心３８から画像掲示基板１０に向かって引いた水平線７４と、下底７８との交点である左側障害点７５に、下底７５のほぼ真ん中が位置するように配置されており、左折曲線部２９を谷折にした際に、最も障害となる、左側障害点７５近傍に左窓部３３が位置するように設けられている。
【００６７】
また、表右支持基板側台形６７と、裏右支持基板側台形６８と、表左支持基板側台形７７と、裏左支持基板側台形７８は、それぞれ左右対称な台形であり、それぞれの上底から下底までは、直線で結ばれている。また、右折曲線部２４に位置する台形の下底６９と、表右支持基板側台形６７の上底７０と、裏右支持基板側台形６８の上底７１はそれぞれ平行であり、左折曲線部２９に位置するそれぞれの台形の下底７８と、表左支持基板側台形７６の上底７９と、裏左支持基板側台形７７の上底８０はそれぞれ平行である。なお、本実施の形態では、表右支持基板側台形６７と、裏右支持基板側台形６８と、表左支持基板側台形７６と、裏左支持基板側台形７７は、それぞれ左右対称であり、更に、それぞれの上底と下底が平行であるが、これに限定する必要はなく、台形とは、右窓部３２と左窓部３３の縦方向の長さの最大を形成して、表右支持基板２３、裏右支持基板２６、表左支持基板２８、及び、裏左支持基板３１が、画像の少なくとも右側又は左側を隠してしまうという問題を解決するという役割を担う上底と、右窓部３２と左窓部３３の面積を最小にするという役割を担う下底に対応する部分が存在すれば、いずれのものでもよく、例えば、上底と下底は並行でなくてもよく、上底と下底に対応する部分が曲線であってもよい。また、表右支持基板側台形６７と、裏右支持基板側台形６８と、表左支持基板側台形７６と、裏左支持基板側台形７７は、それぞれ左右対称である必要はなく、立体視する画像の形状や、ビュアーの使用目的によって非対称にすることも可能である。また、上底と下底を結ぶものは、それぞれ直線である必要はなく、立体視する画像の形状や、ビュアーの使用目的によって任意の形状にすることが可能である。例えば、円弧や自由曲線のように曲線でもよいし、折れ線でもよい。
【００６８】
また、本実施の形態では、表右支持基板２３に設けられた表右支持基板側台形６７、裏右支持基板２６に設けられた裏右支持基板側台形６８、表左支持基板２８に設けられた表左支持基板側台形７６、及び、裏左支持基板３１に設けられた裏左支持基板側台形７７はすべて同じ形状にしたがこれに限定する必要はない。それぞれの基板に設ける台形は、任意の形状にすることが可能である。なお、それぞれの基板に設けた下底が立体視した際にそろうようにしたほうが、立体視した際の視界を美しく保つことが可能になるため好ましい。
【００６９】
なお、本実施の形態では、右窓部３２と左窓部３３は台形を下底で合わせた6角形としたが、これに限定する必要は無く、右窓部３２と左窓部３３には任意の形状を採用することが可能である。例えば、右窓部３２と左窓部３３は、長方形を長辺で合わせた正方形としてもよいし、２つの三角形を一辺で合わせたひし形であってもよいし、半円を直径で合わせた円でもよいし、楕円でもよい。なお、任意の形状にした場合においても、その縦方向の長さの最大がレンズの直径以上であり、横方向の長さの最大がレンズの直径以上にする必要がある。本実施の形態では、右折曲線部２４に位置するそれぞれの台形の下底７０と、左折曲線部２９に位置するそれぞれの台形の下底８０が縦方向の長さの最大に相当し、表右支持基板側台形６７の高さ７３と裏右支持基板側台形６８の高さ７３とを合わせた長さ、及び、表左支持基板側台形７６の高さ８１と裏左支持基板側台形７７の高さ８２を合わせた長さが横方向の長さの最大に相当する。なお、右折曲線部２４と左折曲線部２９を谷折にした際に、最も視界を遮ってしまうのは、右折曲線部２４と左折曲線部２９であるため、右窓部３２と左窓部３３のうち、右折曲線部２４上と左折曲線部２９上が縦方向の長さの最大となるように右窓部３２と左窓部３３を設けることが好ましく、また、右窓部３２と左窓部３３のうち、右側障害点６６と左側障害点７５の近傍が横方向の長さの最大になるように右窓部３２と左窓部３３を設けることが好ましいがこれに限定するわけではない。
【００７０】
図７は、図１のビュアーにおいて、画像掲示部９に画像を掲示し、右折曲線部２４と左折曲線部２９とを谷折にした際の、レンズからの視界を表した正面図である。図１、及び、図６と同じ番号を記した部分は同じものであるため、説明を割愛し、８３は画像掲示部９に掲示された画像、８４は画像掲示部９に掲示された画像８３の右目用と左目用の境界線、８５は画像遮蔽部、８６は右目の焦点、８７は左目の焦点、８８は右目用画像主要部分、８９は左目用画像主要部分である。
【００７１】
図７に示した視界は、図１のビュアーの画像掲示部９全面に画像を掲示し、右折曲線部２４と左折曲線部２９とを谷折にした際の視界である。図１に示すビュアーには、2つの台形を下底で合わせた略6角形の右窓部３２と左窓部３３がそれぞれ設けられており、表右支持基板２３には、表右支持基板側台形６７が、その下底が右折曲線部２４に位置するように設けられ、裏右支持基板２６には、裏右支持基板側台形６８が、その下底が右折曲線部２４に位置する表右支持基板側台形６７の下底と重なるように設けられ、表左支持基板２８には、表左支持基板側台形７６が、その下底が左折曲線部２９に位置するように設けられ、裏左支持基板３１には、裏左支持基板側台形７７が、その下底が左折曲線部２９に位置する表左支持基板側台形７６の下底と重なるように設けられている。また、右折曲線部２４に位置するそれぞれの台形の下底６９の長さと、左折曲線部２９に位置するそれぞれの台形の下底７８の長さはレンズの直径以上であり、表右支持基板側台形６７の高さ７２と裏右支持基板側台形６８の高さ７３と表左支持基板側台形７６の高さ８１と裏左支持基板側台形７７の高さ８２は、それぞれレンズの半径以上であるため、谷折にした際の視界は、画像掲示部９に掲示された画像８３の右側と左側が、それぞれの基板に設けられた右窓部３２と左窓部３３を通じて見えるようになっている。また、表右支持基板側台形６７、裏右支持基板側台形６８、表左支持基板側台形７６、及び、裏左支持基板側台形７７がそれぞれ同じ形状であり、更に、その下底が一致するように設けられているため、右折曲線部２４と左折曲線部２９を谷折にした際は、表右支持基板側台形６７と裏右支持基板側台形６８のそれぞれの辺が略一致し、表右支持基板側台形６７と裏右支持基板側台形６８のそれぞれの辺が略一致するため、視界を美しくしている。なお、図７に示すように、右窓部３２と左窓部３３を設けた場合でも、右窓部３２と左窓部３３の上部分と下部分に画像掲示部９に掲示された画像８３を隠してしまう画像遮蔽部分８５が存在してしまう場合もあるが、一般的に立体視をする際は、右目用レンズ２の中心３７から引いた水平線と画像掲示部９との交点である右目の焦点８６と、左目用レンズ３の中心３８から引いた水平線と画像掲示部９との交点である左目の焦点８７が、画像掲示部９に掲示された画像８３の右目用と左目用の境界線８４近傍に近づくことによって立体視が可能になるので、右窓部３２と左窓部３３の上部と下部にできる画像遮蔽部分８５は、右目と左目の角度のずれから、立体視した際に画像が歪んだり、右目には見えているが左目に見えないものがうつったり、逆に、左目には見えているが右目には見えないものがうつったりということが発生し、立体視する画像に障害が生じる部分であるため立体視する際の主要な部分とはならないことが多い。すなわち、立体視する際は、右目の焦点８６の近傍である右目用画像主要部分８８と左目の焦点８７６の近傍である左目用画像主要部分８９は最も美しく立体視が可能な部分であり、画像隠蔽部分８５は、立体視する際の主要な部分では無い場合が多いため、右目の焦点８６の近傍である右目用画像主要部分８８と、左目の焦点８７の近傍である左目���画像主要部分８９を見ることが可能であれば立体視が可能であり、右窓部３２と左窓部３３の上部分と下部分に存在する画像を隠してしまう画像遮蔽部分８５は立体視する際に与える影響は少ないと考えられる。結局、本願発明のビュアー１では、右窓部３２と左窓部３３はその縦方向の最大がそれぞれレンズの直径以上であるため、立体視する際に必要な、右目用画像主要部分８８と左目用画像主要部分８９を見ることが可能になるため、ビュアー１を使用する使用者にとって違和感や不快感を与えずに、立体視を行わせることが可能になる。なお、右窓部３２と左窓部３３は、右目用画像主要部分８８と左目用画像主要部分８９を隠してしまわないよう設けることが好ましい。また、右目用画像主要部分８８と左目用画像主要部分８９とは、立体視する画像のうち、特に立体視したい部分をさし、立体視する画像によって任意に定める事が可能である。本実施の形態において、右目用画像主要部分８８と左目用画像主要部分８９を右目の焦点８６と左目の焦点８７の近傍としたのは、一般的に立体視する際は、右目の焦点８６と左目の焦点８７の近傍が、最も障害無く立体視することができる範囲であるためであり、この範囲に立体視させたい対象をそれぞれ配置させる場合が多いからであるが、これに限定する必要は無く、立体視する画像によって任意に定める事が可能である。なお、本実施の形態では、説明をわかりやすくするために、画像掲示部９全面に画像８３を掲示したが、画像掲示部９に掲示する画像は、立体視用のもの、すなわち、同一被写体を異なる角度から表した少なくとも２つの画像であれば、画像掲示部９全面に掲示されるものでなくてもよい。
【００７２】
図８は、図１に示すビュアーをＡ―Ａで切断した断面図である。図８において、図１と同じ番号を付した部分は同じものであるため、説明を割愛し、９０はレンズ支持基板６の厚さ、９１は画像固定部１１の厚さ、９２はレンズ基板５から画像掲示部９までの距離、９３は右目用レンズの厚さ、９４は左目用レンズの厚さ、９５は右折曲線部を谷折にした際、ビュアー１の内部４６に表右支持基板２３と裏右支持基板２６が入り込む長さ、９６は左折曲線部を谷折にした際、ビュアー１の内部４６に表左支持基板２８と裏左支持基板３１が入り込む長さである。
【００７３】
図８（Ａ）は、図１のビュアー１において、右折曲線部２４と左折曲線部２９を谷折にした状態の線分Ａ−Ａでの断面の下側を示した断面図である。本願発明のビュアー１では、右折曲線部２４と左折曲線部２９を山折にすることによって、表右支持基板２３、裏右支持基板２６、表左支持基板２８、及び、裏左支持基板３１がビュアー１の外側に突出し、反射光をよりビュアー１の内部４６に取り入れることが可能であるため、反射物品を立体視することが可能になる。すなわち、本願発明では、一つのビュアーで反射物品と透過物品の両方を立体視することが可能なビュアーの使用方法を提供することが可能であり、少なくとも２つのレンズが設けられたレンズ基板と、前記レンズ基板と対向し、同一被写体を異なる視点で表した少なくとも2つの画像を掲示する、少なくとも１つの画像掲示部を有する画像掲示基板と、前記画像掲示部に画像を掲示させるため、画像を固定する画像固定部と、前記レンズ基板の下辺と、レンズ基板下山折線部を介して連接する表下支持基板と、前記表下支持基板の、レンズ基板下山折線部と対向する辺と、下方向に突出する下突出山折線部を介して連接し、かつ、前記画像掲示基板の下辺と、画像掲示基板下山折線部を介して連接する裏下支持基板と、前記レンズ基板の上辺と、レンズ基板上山折線部を介して連接する表上支持基板と、前記表上支持基板の、レンズ基板上山折線部と対向する辺と、上方向に突出する上突出山折線部を介して連接し、かつ、前記画像掲示基板の上辺と、画像掲示基板上山折線部を介して連接する裏上支持基板と、を有するビュアーにおいて、前記レンズ基板の右辺と、レンズ基板右山折線部を介して連接する表右支持基板と、前記表右支持基板の、レンズ基板右山折線部と対向する辺と、山折、及び、谷折に折曲自在な右折曲線部を介し、かつ、前記画像掲示基板の右辺と、画像掲示基板右山折線部を介して連接する裏右支持基板と、前記表右支持基板、右折曲線部、及び、裏右支持基板に渡って設けられ、その縦方向の長さの最大がレンズの直径以上、その横方向の長さの最大がレンズの直径以上である右窓部と、前記レンズ基板の左辺と、レンズ基板左山折線部を介して連接する表左支持基板と、前記表左支持基板の、レンズ基板左山折線部と対向する辺と、山折、及び、谷折に折曲自在な左折曲線部を介して連接する裏左支持基板と、前記表左支持基板、左折曲線部、及び、裏左支持基板に渡って設けられ、その縦方向の長さの最大がレンズの直径以上、その横方向の長さの最大がレンズの直径以上である左窓部と、前記裏上支持基板に設けられ、開閉自在な採光窓部と、前記画像掲示基板、表下支持基板、裏下支持基板、表上支持基板、裏上支持基板、表右支持基板、裏右支持基板、表左支持基板、及び、裏左支持基板の各基板の内側に設けられ、光を吸収する吸収層と、を有するビュアーを組み立てた後、画像掲示部に画像が掲示されるように画像固定部に画像を固定し、採光窓部を開け、右折曲線部と左折曲線部を山折にしてビュアーを見ることを特徴とするビュアーの使用方法によって、反射物品を立体視することが可能になる。なお、画像掲示部に画像が掲示されるように画像固定部に画像を固定するという工程と、採光窓部を開けるという工��と、右折曲線部と左折曲線部を山折にするという工程と、ビュアーを見る工程は任意の順序で行うことが可能であるし、同時に行うことも可能である。例えば、ビュアーを見ながら、画像固定部に画像を固定して、採光窓部を開け、右折曲線部と左折曲線部を山折にするようにしてもよいし、画像固定部に画像を固定した後、採光窓部を開け、次に、ビュアーを見ながら右折曲線部と左折曲線部を山折にするようにしてもよい。
【００７４】
図８（Ｂ）は、図１のビュアー１において、右折曲線部２４と左折曲線部２９を谷折にした状態を、Ａ−Ａにおける断面の下側を示した断面図である。本願発明のビュアー１では、右折曲線部２４と左折曲線部２９を谷折にすることによって、表右支持基板２３、裏右支持基板２６、表左支持基板２８、及び、裏左支持基板３１がビュアーの内部に入り込んで反射光を遮る役割を果たすため、透過物品を立体視することが可能になる。すなわち、本願発明では、一つのビュアーで反射物品と透過物品の両方を立体視することが可能なビュアーの使用方法を提供することが可能であり、少なくとも２つのレンズが設けられたレンズ基板と、前記レンズ基板と対向し、同一被写体を異なる視点で表した少なくとも2つの画像を掲示する、少なくとも１つの画像掲示部を有する画像掲示基板と、前記画像掲示部に画像を掲示させるため、画像を固定する画像固定部と、前記レンズ基板の下辺と、レンズ基板下山折線部を介して連接する表下支持基板と、前記表下支持基板の、レンズ基板下山折線部と対向する辺と、下方向に突出する下突出山折線部を介して連接し、かつ、前記画像掲示基板の下辺と、画像掲示基板下山折線部を介して連接する裏下支持基板と、前記レンズ基板の上辺と、レンズ基板上山折線部を介して連接する表上支持基板と、前記表上支持基板の、レンズ基板上山折線部と対向する辺と、上方向に突出する上突出山折線部を介して連接し、かつ、前記画像掲示基板の上辺と、画像掲示基板上山折線部を介して連接する裏上支持基板と、を有するビュアーにおいて、前記レンズ基板の右辺と、レンズ基板右山折線部を介して連接する表右支持基板と、前記表右支持基板の、レンズ基板右山折線部と対向する辺と、山折、及び、谷折に折曲自在な右折曲線部を介し、かつ、前記画像掲示基板の右辺と、画像掲示基板右山折線部を介して連接する裏右支持基板と、前記表右支持基板、右折曲線部、及び、裏右支持基板に渡って設けられ、その縦方向の長さの最大がレンズの直径以上、その横方向の長さの最大がレンズの直径以上である右窓部と、前記レンズ基板の左辺と、レンズ基板左山折線部を介して連接する表左支持基板と、前記表左支持基板の、レンズ基板左山折線部と対向する辺と、山折、及び、谷折に折曲自在な左折曲線部を介して連接する裏左支持基板と、前記表左支持基板、左折曲線部、及び、裏左支持基板に渡って設けられ、その縦方向の長さの最大がレンズの直径以上、その横方向の長さの最大がレンズの直径以上である左窓部と、前記裏上支持基板に設けられ、開閉自在な採光窓部と、前記画像掲示基板、表下支持基板、裏下支持基板、表上支持基板、裏上支持基板、表右支持基板、裏右支持基板、表左支持基板、及び、裏左支持基板の各基板の内側に設けられ、光を吸収する吸収層と、を有するビュアーを組み立てた後、画像掲示部に画像が掲示されるように画像固定部に画像を固定し、採光窓部を閉じ、右折曲線部と左折曲線部を谷折にしてビュアーを見ることを特徴とするビュアーの使用方法によって、透過物品を立体視することが可能になる。なお、画像掲示部に画像が掲示されるように画像固定部に画像を固定するという工程と、採光窓部を閉じるという工程と、右折曲線部と左折曲線部を谷折��するという工程と、ビュアーを見る工程は任意の順序で行うことが可能であるし、同時に行うことも可能である。例えば、ビュアーを見ながら、画像固定部に画像を固定して、採光窓部を閉じ、右折曲線部と左折曲線部を谷折にするようにしてもよいし、画像固定部に画像を固定した後、採光窓部を閉じ、次に、ビュアーを見ながら右折曲線部と左折曲線部を谷折にするようにしてもよい。
【００７５】
なお、ビュアー１の組み立て方は、レンズ形成基板７の下辺は、レンズ基板下山折線部１２を介して表下支持基板１３と連接し、レンズ形成基板７の上辺は、レンズ基板上山折線部１７を介して表上支持基板１８と連接し、レンズ基板形成７の右辺は、レンズ基板右山折線部２２を介して表右支持基板２３と連接し、レンズ基板形成７の左辺は、レンズ基板左山折線部２６を介して表左支持基板２３と連接し、表下支持基板１３は、レンズ基板下山折線部１２と対向する辺で、下方向に突出する下突出山折線部１４を介して裏下支持基板１６と連接し、裏下支持基板１６は、下突出山折線部１４と対向する辺で、画像掲示基板下山折線部１５を介して画像掲示基板１０の下辺と連接し、表上支持基板１８は、前記レンズ基板上山折線部１７と対向する辺で、上方向に突出する上突出山折り線部１９を介して裏上支持基板２１と連接し、裏上支持基板２１は、上突出山折線部１９と対向する辺で、画像掲示基板上山折線部２０を介して画像掲示基板１０の上辺と連接し、表右支持基板２３は、レンズ基板右山折線部２２と対向する辺で、山折、及び、谷折に折曲自在な右折曲線部２４を介して裏右支持基板２６と連接し、裏右支持基板２６は、右折曲線部２４と対向する辺と、画像掲示基板右山折線部２５を解して画像掲示基板１０の右辺と連接し、表左支持基板２８は、レンズ基板左山折線部３０と対向する辺で、山折、及び、谷折に折曲自在な左折曲線部２９を介して裏左支持基板３１と連接し、裏左支持基板３１は、左折曲線部２９と対向する辺と、画像掲示基板左山折線部３０を解して画像掲示基板１０の左辺と連接すれば、任意の組み立て方を採用することが可能である。例えば、図示しないが展開図を作成し、その展開図から組み立てることも可能であるし、それぞれの基板をばらばらに作り、粘着テープ等で張り合わせてゆくことも可能である。
【００７６】
なお、図8において、右目用レンズ２の厚さ９３と左目用レンズ３の厚さ９４は２ｍｍであり、レンズ支持基板６の厚さ９０も２ｍｍである。このように、レンズ支持基板６の厚さ９０を右目用レンズ２の厚さ９３と左目用レンズ３の厚さ９４とほぼ同じ、もしくは、右目用レンズ２の厚さ９３と左目用レンズ３の厚さ９４よりも厚くすることによって、冊子体に添付した際、冊子体を重ねても、冊子体の重みによってレンズに傷が付いたり、レンズが割れてしまうことを防ぐことが可能になる。すなわち、レンズ支持基板６を右目用レンズ２の厚さ９３と左目用レンズ３の厚さ９４よりも厚くし、レンズ支持基板６からレンズが出ないようにレンズをそれぞれ設けることによって、ビュアー１を冊子体に添付し、冊子体を重ねた場合に、圧縮する力がレンズ支持基板６にかかるようになり、レンズに圧力がかかることを防ぐことが可能になるため、レンズに傷が付いたり、レンズが割れてしまうということを防ぐことが可能になる。このことは、レンズ基板５が一枚の基板によって形成されている場合でも同様であり、レンズ基板５が一枚の基板によって形成されるため、レンズ基板５に右目用レンズ２と左目用レンズ３が設けられる場合は、レンズ基板５の厚みを右目用レンズ２の厚さ９３と左目用レンズ３の厚さ９４よりも厚くし、レンズ基板５からレンズが出ないようにレンズをそれぞれ設けることによって、ビュアー１を冊子体に添付し、冊子体を重ねた場合に、圧縮する力がレンズ基板５にかかるようになり、レンズに圧力がかかることを防ぐことが可能になるため、レンズに傷が付いたり、レンズが割れてしまうということを防ぐことが可能になる。なお、レンズ基板５が一枚の基板の場合でも、レンズ基板５がレンズ形成基板６とレンズ支持基板７からなる場合でも、レンズ基板５の厚みが３ｍｍ以下であれば、中綴じの冊子体にも添付することが可能になるた好ましく、さらには、２ｍｍ以上3ｍｍ以下が好ましいがこれに限定する必要は無く、レンズ基板５、及び、レンズ支持基板６とレンズ形成基板７の厚みは任意の厚みにすることが可能である。また、右目用レンズ２の厚さ９３と左目用レンズ３の厚さ９４も上述したような理由から２ｍｍ以下が好ましいがこれに限定する必要は無く、任意の厚さにすることが可能である。なお、右目用レンズ２の厚さ９３と左目用レンズ３の厚さ９４とは、レンズのうち、最も厚いところの厚さを指す。
【００７７】
また、画像固定部１１の厚さ９１も任意の厚みにすることが可能である。本実施の形態では、この厚みは、３ｍｍであるがこれに限定する必要は無く、少なくとも1枚の反射物品、または、透過物品が入れば、任意の厚みを採用することが可能である。なお一般的に立体視に使用される透過物品と反射物品は、シート状である場合が多いため、本実施の形態では、画像固定部１１はシート状物が固定されるように形成されているが、これに限定する必要はなく、画像掲示部９に画像を掲示することが可能であれば、任意の形状にすることが可能である。
【００７８】
また本実施の形態では、レンズ基板５から画像掲示部９までの距離９２は、右折曲線部２４、左折曲線部２９、下突出山折線部１４、及び、上突出山折線部１９を伸ばした状態で、１０．５ｃｍの長さであるがこれに限定する必要は無い。ただし、レンズ基板５から画像掲示部９までの距離９２をあまりにも長すぎたり、短すぎたりすると、焦点が合わず立体視が困難になることが考えられるため、レンズ基板５から画像掲示部９までの距離９２をあまりにも長すぎたり短すぎたりすることは好ましい実施の形態とはいえない。一般的に、立体視が可能な長さとは、数１によって定まる長さと言われている。よって、数１によって定まる長さ、若しくは、数１によって定まる長さに、好ましくは５ｃｍ以下加えた長さ、更に好ましくは略２ｃｍ〜３ｃｍ加えた長さにするとよい。数１によって定まる長さに、５ｃｍ以下加えた長さ、更に好ましくは、略２ｃｍ〜３ｃｍ加えた長さにすれば、右折曲線部２４と左折曲線部２９を谷折にした際に、容易に焦点を合わせることが可能であり、更に、ビュアー１の内部４６に表右支持基板２３と裏右支持基板２６が入り込む長さ９４と、ビュアー１の内部４６に表左支持基板２８と裏左支持基板３１が入り込む長さ９５を最小限に抑えることが可能になる。つまり、容易に焦点を合わることが可能になり、かつ、右折曲線部２４と左折曲線部２９を谷折にして焦点を合わせた際に、ビュアーの視界を遮ってしまうことを最小限にすることが可能になる。なお、数１にレンズの倍率とは、右目用レンズ２と左目用レンズ３の倍率であり、本実施の形態では、その数字は３になる。
【００７９】
【数１】
2005049787.tif 000003
【図面の簡単な説明】
【００８０】
【図１】本願発明におけるビュアーの斜視図である。
【図２】本願発明のビュアーにおいて、採光窓部３４を裏上支持基板２１に設けた状態を示した斜視図である。
【図３】図1のビュアーの背部の斜視図である
【図４】図２のビュアーの背部の斜視図である
【図５】図１におけるビュアー１のレンズ基板５と表下支持基板１３のみを展開した展開図である。
【図６】（Ａ）は図１のビュアーの右側の正面図である。
【００８１】
（Ｂ）は図１のビュアーの左側の正面図である。
【図７】図１のビュアーの画像掲示部９全面に画像を掲示し、右折曲線部２４と左折曲線部２９とを谷折にした際の視界を表した正面図である。
【図８】（Ａ）は、図１のビュアー１において、右折曲線部２４と左折曲線部２９を山折にした状態の線分Ａ−Ａでの断面の下側を示した断面図である。
【００８２】
（Ｂ）は、図１のビュアー１において、右折曲線部２４と左折曲線部２９を谷折にした状態の線分Ａ−Ａでの断面の下側を示した断面図である。
【符号の説明】
【００８３】
１…ビュアー、２…右目用レンズ、３…左目用レンズ、４…レンズ外側固定部、５…レンズ基板、６…レンズ支持基板、７…レンズ形成基板、８…レンズ穴、９…画像掲示部、１０…画像掲示基板、１１…画像固定部、１２…レンズ基板下山折線部、１３…表下支持基板、１４…下突出山折線部、１５…画像掲示基板下山折線部、１６…裏下支持基板、１７…レンズ基板上山折線部、１８…表上支持基板、１９…上突出山折線部、２０…画像掲示基板上山折線部、２１…裏上支持基板、２２…レンズ基板右山折線部、２３…表右支持基板、２４…右折曲線部、２５…画像掲示基板右山折線部、２６…裏右支持基板、２７…レンズ基板左山折線部、２８…表左支持基板、２９…左折曲線部、３０…画像掲示基板左山折線部、３１…裏左支持基板、３２…右窓部、３３…左窓部、３４…採光窓部、３５…鼻穴、３６…レンズ支持基板中心、３７…右目用レンズ２の中心、３８…左目用レンズ３の中心、３９…右目用レンズ２の中心３６から左目用レンズ３の中心３７までの距離、４０…右目用レンズの直径、４１…左目用レンズの直径、４２…採光窓部のうち開閉可能な蓋部、４３…採光窓部のうち反射光を取り入れる窓部、４４…採光窓部折曲線、４５…支持基板間、４６…ビュアー１の内部、５０…画像背面支持基板、５１…画像左側支持基板、５２…画像右側支持基板、５３…画像下側支持基板、５４…画像挿し込み口、５５…画像固定部糊付け部、５６…光拡散フィルム、６０…レンズ基板下山折線部１２の略中心、６１…鼻穴３５のうちレンズ基板５側に設けられるレンズ基板側鼻穴、６２…鼻穴３５のうち表下支持基板１３側に設けられる表下支持基板側鼻穴、６３…鼻穴３５の短軸、６４…鼻穴３５の長軸、６５…右目用レンズの中心３７から画像掲示基板１０に向かって引いた水平線、６６…右側障害点、６７…表右支持基板２３に設けられた表右支持基板側台形、６８…裏右支持基板２６に設けられた裏右支持基板側台形
６９は右折曲線部２４に位置するそれぞれの台形の下底、７０…表右支持基板側台形６７の上底、７１…裏右支持基板側台形６８の上底、７２…表右支持基板側台形６７の高さ、７３…裏右支持基板側台形６８の高さ、７４…左目用レンズ３の中心３８から画像掲示基板１０に向かって引いた水平線、７５…左側障害点
７６は表左支持基板２８に設けられた表左支持基板側台形、７７…裏左支持基板３１に設けられた裏左支持基板側台形、７８…左折曲線部２９に位置するそれぞれの台形の下底、７９…表左支持基板側台形７６の上底、８０…裏左支持基板側台形７７の上底、８１…表左支持基板側台形７６の高さ、８２…裏左支持基板側台形７７の高さ、８３…画像掲示部９に掲示された画像、８４…画像掲示部９に掲示された画像８３の右目用と左目用の境界線、８５…画像遮蔽部、８６…右目の焦点、８７…左目の焦点、８８…右目用画像主要部分、８９…左目用画像主要部分、９０…レンズ支持基板６の厚さ、９１…画像固定部１１の厚さ、９２…レンズ基板５から画像掲示部９までの距離、９３…右目用レンズの厚さ、９４…左目用レンズの厚さ、９５…右折曲線部を谷折にした際、ビュアー１の内部４６に表右支持基板２３と裏右支持基板２６が入り込む長さ、９６…左折曲線部を谷折にした際、ビュアー１の内部４６に表左支持基板２８と裏左支持基板３１が入り込む長さ
【図１】
2005049787.tif 000004
【図２】
2005049787.tif 000005
【図３】
2005049787.tif 000006
【図４】
2005049787.tif 000007
【図５】
2005049787.tif 000008
【図６】
2005049787.tif 000009
【図７】
2005049787.tif 000010
【図８】
2005049787.tif 000011